(57)【要約】  本発明は、接木されたカリブラコア属の植物を開示する。接木された植物は、カリブラコア属の接ぎ穂を接木された選択された台木を含む。さらに、本発明は、新規の接木された繁殖材料、並びに接木された繁殖材料を生成するための方法、及び接木されたカリブラコア属の植物を生成するための方法を提供する。【選択図】図８
2017527315.tif 000002
【特許請求の範囲】
【請求項１】
接木されたカリブラコア属の植物であって、カリブラコア属の接ぎ穂を接木された台木を含む、前記植物。
【請求項２】
台木が、カリブラコア属の接ぎ穂と適合性である、請求項１に記載の植物。
【請求項３】
苗及び根付いていない原材料から成る群より選択される繁殖材料に由来する、請求項１に記載の植物。
【請求項４】
苗が、根付いた切穂、実生、接木された根付いた切穂、及び接木された実生から成る群より選択される、請求項３に記載の植物。
【請求項５】
根付いていない原材料が、根付いていない切穂及び根付いていない接木された切穂から成る群より選択される、請求項３に記載の植物。
【請求項６】
根付いていない原材料が、プラグトレイにおける挿入及び生長に適合している、請求項５に記載の植物。
【請求項７】
請求項３に記載の繁殖材料に由来する、完成した植物。
【請求項８】
台木が、種子、根付いた切穂、根付いていない切穂、実生、接木された根付いた切穂、接木された根付いていない切穂、及び接木された根付いていない実生から成る群より選択される繁殖材料に由来する、請求項１に記載の植物。
【請求項９】
台木がナス科に属する、請求項１に記載の植物。
【請求項１０】
台木が、ヤコウカ亜科、ゴエツエオイデアエ亜科（Goetzeoideae）、タバコ亜科、ペチュニア亜科、ムレゴチョウ亜科、シュウェンキオイデアエ亜科（Schwenckioideae）、及びナス亜科から成る群より選択される、請求項１に記載の植物。
【請求項１１】
台木が、ナス属、トウガラシ属、ペチュニア属、及びカリブラコア属から成る群より選択される、請求項１に記載の植物。
【請求項１２】
台木が、ペチュニア・アルピコラ、Ｐ．アルティプラナ、Ｐ．アキシラリス、Ｐ．バジェーンシス、Ｐ．ボンジャージネンシス、Ｐ．エクスセルタ、Ｐ．グアラプアベンシス、Ｐ．ヘリアンセモイデス、Ｐ．フミフーサ、Ｐ．インフラータ、Ｐ．インテグリフォリア、Ｐ．インテリア、Ｐ．レディフォリア、Ｐ．リットラリス、Ｐ．マンチクエイレンシス、Ｐ．オクシデンタリス、Ｐ．パルビフローラ、Ｐ．パタゴニカ、Ｐ．プベスセンス、Ｐ．レイツィー、Ｐ．リオグランデンシス、Ｐ．サクシコーラ、Ｐ．シェイデアーナ、Ｐ．バリアビリス、Ｐ．ビラディアーナ、Ｐ．ｘ  アトキンシアナ、及びＰ．ハイブリダ種から成る群より選択される、請求項１に記載の植物。
【請求項１３】
台木が、カリブラコア・カエシア、カリブラコア・カリシナ、カリブラコア・デュセニイ、カリブラコア・エグランデュラータ、カリブラコア・エレガンス、カリブラコア・エリシフォリア、カリブラコア・エクセレンス、カリブラコア・ハスレリアナ、カリブラコア・ヘテロフィラ、カリブラコア・フミリス、カリブラコア・リネアリス、カリブラコア・パルビフローラ、カリブラコア・ピグマエア、カリブラコア・ルペストリス、カリブラコア・セロウィアナ、カリブラコア・スパスラタ、及びカリブラコア・ティミフォリア、カリブラコア  ｘ  ハイブリダ、並びにペトコア種から成る群より選択される、請求項１に記載の植物。
【請求項１４】
台木が、リコペルシカム、ツベロスム、及びメロンゲナ種から成る群より選択される、請求項１に記載の植物。
【請求項１５】
接ぎ穂が、種子、根付いた切穂、根付いていない切穂、実生、接木された根付いた切穂、接木された根付いていない切穂、及び接木された根付いていない実生から成る群より選択される繁殖材料に由来する、請求項１に記載の植物。
【請求項１６】
接ぎ穂が、カリブラコア属のものである、請求項１に記載の植物。
【請求項１７】
接ぎ穂が、カリブラコア・カエシア、カリブラコア・カリシナ、カリブラコア・デュセニイ、カリブラコア・エグランデュラータ、カリブラコア・エレガンス、カリブラコア・エリシフォリア、カリブラコア・エクセレンス、カリブラコア・ハスレリアナ、カリブラコア・ヘテロフィラ、カリブラコア・フミリス、カリブラコア・リネアリス、カリブラコア・パルビフローラ、カリブラコア・ピグマエア、カリブラコア・ルペストリス、カリブラコア・セロウィアナ、カリブラコア・スパスラタ、及びカリブラコア・ティミフォリア種から成る群より選択される、請求項１に記載の植物。
【請求項１８】
台木が、接ぎ穂と適合可能な少なくとも１つの特徴を有する、請求項１に記載の植物。
【請求項１９】
接ぎ穂と適合可能な少なくとも１つの特徴が：類似の茎又はシュート直径、類似の生長パターン、分類学的類似性、遺伝的類似性、解剖学的類似性、台木と接ぎ穂との均一な接着点の形成、顕著なカルスの非存在、茎からのサイドシュートの形成抑制、カルスからの新芽の形成抑制、太い木質の茎、対応する接木されていない対照植物と比較して類似した又は増進された接ぎ穂の正常な発達、及びそれらの組合せから成る群より選択される、請求項１に記載の植物。
【請求項２０】
台木が、望ましい農学的及び／又は園芸的特徴を有する、請求項１に記載の植物。
【請求項２１】
望ましい農学的及び／又は園芸的特徴が、根付きの高い可能性、根付きの高い質、発達した根系、カルス形成、カルスからの最小限の新芽、茎からの最小限のサイドシュートの発達、太い茎、長い節間部、頑健性、まばらな開花、直幹の生成、木質性、強い根系、増進された茎の高さ、草勢、ストレス耐性、疾患抵抗性、病原体に対する抵抗性、虫の外寄生に対する抵抗性、非生物的ストレスに対する抵抗性、及びそれらの組合せから成る群より選択される、請求項２０に記載の植物。
【請求項２２】
望ましい農学的及び／又は園芸的特徴が、少なくとも８０％の根付きの可能性、８０％未満のカルスからの新芽の分化、９０％未満の茎からのサイドシュート、少なくとも５ｍｍの平均の茎の太さ、少なくとも１０ｍｍの平均の節間部の長さ、及びそれらの組合せから成る群より選択される、請求項２０に記載の植物。
【請求項２３】
ストレス耐性が、低温耐性、高温耐性、水がれ耐性、塩耐性、ｐＨ耐性、及びそれらの組合せから成る群より選択される非生物的ストレス耐性を含む、請求項２１に記載の植物。
【請求項２４】
ストレス耐性が、疾患抵抗性、虫抵抗性、及び線虫抵抗性、土壌伝播性病原体に対する向上した抵抗性、並びにそれらの組合せから成る群より選択される生物的ストレス耐性を含む、請求項２１に記載の植物。
【請求項２５】
接ぎ穂が、台木に最高５０ｃｍの高さで接木されている、請求項１に記載の植物。
【請求項２６】
接ぎ穂が、台木に少なくとも１０ｃｍの高さで接木されている、請求項１に記載の植物。
【請求項２７】
接ぎ穂が、密集した開花、独特の花の色、低〜中程度の台木との不適合、発達した植物の少なくとも５０％の生産量、及びそれらの組合せから成る群より選択される少なくとも１つの特徴によって特徴付けられる、請求項１に記載の植物。
【請求項２８】
台木が、少なくとも２つの異なる接ぎ穂で接木され、接ぎ穂は、異なる品種に属しかつ台木と適合性である、請求項１に記載の植物。
【請求項２９】
異なる接ぎ穂が、花序の色、果実の形状、生長パターン、及びそれらの組合せから成る群より選択される少なくとも１つの異なる特徴を有する、請求項２８に記載の植物。
【請求項３０】
接木されたカリブラコア属の植物が、接木されていないカリブラコア属の植物と比較して：増進された高さ又は高い茎の植物、均一な接着点、木質性、台木と接ぎ穂との類似したシュート直径、強い根系、生物的ストレスに対する耐性、非生物的ストレスに対する耐性、均一性、低減した葉の黄変、頑健な生長、増進された花序収率、切穂のような植物繁殖材料の増進された収率、増進された地上部の収率、１つの植物上での１より多いカリブラコア属の種又は品種の組合せ、及びそれらの組合せから成る群より選択される望ましい観賞的及び／又は農学的及び／又は園芸的特徴を有する、請求項１に記載の植物。
【請求項３１】
植物が、最終的な商業的プランター又はポット又は他の栽培容器に植えられる、  請求項１に記載の植物。
【請求項３２】
最終的な商業的プランター又はポット又は他の栽培容器が、１リットル以下の容積を有する、請求項１に記載の植物。
【請求項３３】
最終的な商業的プランター又はポット又は他の栽培容器が、１リットル以上の容積を有する、  請求項１に記載の植物。
【請求項３４】
高い茎の接木されたカリブラコア属である、請求項１に記載の植物。
【請求項３５】
高い茎の接木されたカリブラコア属の植物が、高い茎の接木された苗及び根付いていない高い茎の接木された原材料から成る群より選択される繁殖材料に由来する、請求項３４に記載の植物。
【請求項３６】
高い茎の苗が、根付いた切穂、実生、接木された根付いた切穂、及び接木された実生から成る群より選択される、請求項３５に記載の植物。
【請求項３７】
高い茎の根付いていない原材料が、根付いていない切穂及び根付いていない接木された切穂から成る群より選択される、請求項３５に記載の植物。
【請求項３８】
高い茎の根付いていない原材料が、プラグトレイに植えられている際に直立安定性及び／又は頑強性に適合している、請求項３７に記載の植物。
【請求項３９】
請求項３５に記載の繁殖材料に由来する、高い茎の接木された完成した植物。
【請求項４０】
ポット又は栽培容器に植えられている際に直立安定性及び／又は頑強性に適合している、請求項３９に記載の完成した植物。
【請求項４１】
請求項３４に記載の高い茎の接木されたカリブラコア属の、切穂又は根付いていない切穂、接木された切穂又は接木された根付いていない切穂。
【請求項４２】
請求項１に記載の植物の部分。
【請求項４３】
植物の部分が、根付いた切穂、根付いていない切穂、接木された根付いた切穂、根付いていない接木された切穂、花、及び植物の他の生長力のある部分又は繁殖部分から成る群より選択される、請求項４２に記載の植物の部分。
【請求項４４】
請求項１に記載の植物の、接木された繁殖材料であって、接木された苗、接木された根付いた切穂、接木された根付いていない切穂、接木された実生、高い茎の接木された苗、及び高い茎の接木された根付いていない切穂から成る群より選択される、前記繁殖材料。
【請求項４５】
カリブラコア属を接木された植物を生成するための方法であって、以下の工程：
ａ．  カリブラコア属の接ぎ穂を提供し；
ｂ．  カリブラコア属の接ぎ穂との適合性のために台木を調整し；
ｃ．  接ぎ穂を台木に接木し、それにより接木されたカリブラコア属の植物を生成する、
ことを含む、前記方法。
【請求項４６】
調整の工程が、望ましい農学的及び／又は園芸的特徴を有するように台木を生長させる工程をさらに含む、請求項４５に記載の方法。
【請求項４７】
望ましい農学的及び／又は園芸的特徴が、根付きの高い可能性、根付きの質、茎からの最小限のサイドシュートの発達、太い茎、長い節間部、頑健性、まばらな開花、直幹の生成、木質性、強い根系、増進された茎の高さ、草勢、ストレス耐性、疾患抵抗性、病原体に対する抵抗性、虫の外寄生に対する抵抗性、非生物的ストレスに対する抵抗性、及びそれらの組合せから成る群より選択される、請求項４６に記載の方法。
【請求項４８】
望ましい農学的及び／又は園芸的特徴が、少なくとも８０％の根付きの可能性、８０％未満のカルスからの新芽の分化、９０％未満の茎からのサイドシュート、少なくとも５ｍｍの平均の茎の太さ、少なくとも１０ｍｍの平均の節間部の伸長、及びそれらの組合せから成る群より選択される、請求項４６に記載の方法。
【請求項４９】
密集した開花、独特の花の色、低〜中程度の台木との不適合、発達した植物の少なくとも５０％の生産量、及びそれらの組合せから成る群より選択される少なくとも１つの特徴を有する接ぎ穂を選択する工程をさらに含む、請求項４５に記載の方法。
【請求項５０】
調整の工程が、接ぎ穂に接木された台木を生長させる工程、並びに台木と接ぎ穂との均一な接着点、台木と接ぎ穂との類似したシュート直径、顕著なカルスの非存在、茎からのサイドシュートの形成抑制、カルスからの新芽の形成抑制、及びそれらの組合せから成る群より選択される特徴を得る工程をさらに含む、請求項４５に記載の方法。
【請求項５１】
カリブラコア属を接木された植物を提供するために、苗及び根付いていない原材料から成る群より選択される繁殖材料を生成し、予め決定された生長条件で生長させる工程をさらに含む、請求項４５に記載の方法。
【請求項５２】
根付いた切穂、実生、接木された根付いた切穂、及び接木された実生から成る群より苗を選択するる工程をさらに含む、請求項５１に記載の方法。
【請求項５３】
根付いていない切穂及び根付いていない接木された切穂から成る群より根付いていない原材料を選択する工程をさらに含む、請求項５１に記載の方法。
【請求項５４】
根付いていない原材料をプラグトレイにおいて生長させる工程をさらに含む、請求項５３に記載の方法。
【請求項５５】
完成した接木されたカリブラコア属の植物を生成するように、繁殖材料を生長させる工程をさらに含む、請求項５１に記載の方法。
【請求項５６】
台木植物の種子、根付いた切穂、根付いていない切穂、実生、接木された根付いた切穂、接木された根付いていない切穂、及び接木された実生から成る群より選択される繁殖材料又は苗又は原材料を、予め決定された生長条件において、接ぎ穂による接木に適するように生長させる工程をさらに含む、請求項４５に記載の方法。
【請求項５７】
接ぎ穂の種子、根付いた切穂、根付いていない切穂、実生、接木された根付いた切穂、接木された根付いていない切穂、及び接木された実生から成る群より選択される繁殖材料又は苗又は原材料を、予め決定された生長条件において、台木による接木に適するように生長させる工程をさらに含む、請求項４５に記載の方法。
【請求項５８】
生長した台木植物の密度を、面積あたりの植物の数を制御することにより調節する追加の工程を含む、請求項４５に記載の方法。
【請求項５９】
大きさ、セルの形状、材料、密度、及びそれらの組合せから成る群より選択されるパラメーターにより、適切な生長トレイを選択する追加の工程を含む、請求項４５に記載の方法。
【請求項６０】
予め決定された施肥潅漑及び遮光計画の下で、台木を生長させる追加の工程を含む、請求項４５に記載の方法。
【請求項６１】
暗中退色した台木植物を得るために、制御された低照射計画を適用する追加の工程を含む、請求項４５に記載の方法。
【請求項６２】
植物の光周期反応に影響を及ぼすことにより、生長した台木植物の開花タイミングを制御する追加の工程を含む、請求項４５に記載の方法。
【請求項６３】
生長した台木を支持し、形を整えるためにトレーリング及び安定化手段を用いる追加の工程を含む、請求項４５に記載の方法。
【請求項６４】
棒、クリップ、花の切り取り、トレーリングネット、プラスチックトレーフレーム、及びそれらの組合せから成る群より選択されるトレーリング及び安定化手段を用いる追加の工程を含む、請求項４５に記載の方法。
【請求項６５】
温度、相対湿度、電気伝導度、照明レベル、遮光レベル、ｐＨ、灌漑間隔、施肥溶液、及び計画、並びにそれらの組合せから成る群より選択されるパラメーターを制御することにより、予め決定されたプロトコルで、選択された台木植物を生長させる追加の工程を含む、請求項４５に記載の方法。
【請求項６６】
農薬ベースの処理、除草剤処理、殺虫剤処理、殺真菌剤処理、生物学的害虫制御処理、及びそれらの組合せから成る群より選択される植物保護処理を適用する追加の工程を含む、請求項４５に記載の方法。
【請求項６７】
台木生産のために生長させるべき植物繁殖材料の少なくとも１つの特性を調和させる追加の工程を含み、少なくとも１つの特性が、根系の発達、胚軸の大きさ、胚軸の長さ、茎の直径、節の数、節間部の長さ、及びそれらの組合せから成る群より選択される、請求項４５に記載の方法。
【請求項６８】
接ぎ穂と台木との接着を高めて接木接合部を形成する工程をさらに含む、請求項４５に記載の方法。
【請求項６９】
最高５０ｃｍの予め決定された高さ及び予め決定された茎直径まで、台木を生長させる工程をさらに含む、請求項４５に記載の方法。
【請求項７０】
少なくとも１０ｃｍの予め決定された高さまで、台木を生長させる工程をさらに含む、請求項４５に記載の方法。
【請求項７１】
接ぎ穂との接木に適した生長特徴を達成するように、台木植物の生長を操作して調和させる工程をさらに含み、生長特徴が、根系の発達、胚軸の大きさ、胚軸の長さ、茎直径、節の数、節の長さ、茎直径、茎の高さ、生長パターン、開花時間、及びそれらの組合せから成る群より選択される、請求項４５に記載の方法。
【請求項７２】
合わせ接ぎ、芽接ぎ、割り接ぎ、腹接ぎ、寄接ぎ、穴差込接ぎ、一子葉接ぎ、舌接ぎ、切り株接ぎ、４フラップ接ぎ、突き錐接ぎ、切接ぎから成る群より選択される接木技法、及び草本植物を接木するのに適した他の接木技法、及びそれらの組合せにより、接ぎ穂を台木に接木する工程をさらに含む、請求項４５に記載の方法。
【請求項７３】
接木された植物を、最終的な商業的プランター又はポット又は他の栽培容器に植える工程をさらに含む、請求項４５に記載の方法。
【請求項７４】
接木された植物を、１リットル以下の容積を有する最終的な商業的プランター又はポット又は他の栽培容器に植える工程をさらに含む、請求項７３に記載の方法。
【請求項７５】
接木された植物を、１リットル以上の容積を有する最終的な商業的プランター又はポット又は他の栽培容器に植える工程をさらに含む、請求項７３に記載の方法。
【請求項７６】
接木されていないカリブラコア属の植物と比較して、増進された高さ又は高い茎の植物、強い根系、生物的ストレスに対する耐性、非生物的ストレスに対する耐性、均一性、低減した葉の黄変、頑健な生長、増進された花序収率、切穂のような植物繁殖材料の増進された収率、増進された地上部の収率、１より多いカリブラコア属の種又は品種の１つの植物上での組合せ、及びそれらの組合せから成る群より選択される望ましい観賞的及び／又は園芸的特徴を有する接木されたカリブラコア属の植物を生成する工程をさらに含む、請求項４５に記載の方法。
【請求項７７】
高い茎の接木されたカリブラコア属を生成する工程をさらに含む、請求項４５に記載の方法。
【請求項７８】
少なくとも約１０ｃｍの予め決定された高さ及び予め決定された茎直径まで台木を生長させ、予め決定された高さにおいて台木にカリブラコア属の接ぎ穂を接木する工程をさらに含む、請求項７７に記載の方法。
【請求項７９】
高い茎の苗及び根付いていない高い茎の原材料から成る群より選択される繁殖材料を生成し、カリブラコア属の高い茎の接木された植物を提供するように予め決定された生長条件において生長させる工程をさらに含む、請求項７７に記載の方法。
【請求項８０】
根付いた高い茎の切穂、高い茎の実生、接木された高い茎の根付いた切穂、及び接木された高い茎の実生から成る群より、高い茎の苗を選択する工程をさらに含む、請求項７９に記載の方法。
【請求項８１】
根付いていない高い茎の切穂及び根付いていない高い茎の接木された切穂から成る群より、高い茎の根付いていない原材料を選択する工程をさらに含む、請求項７９に記載の方法。
【請求項８２】
高い茎の根付いていない原材料をプラグトレイに植える工程をさらに含む、請求項８１に記載の方法。
【請求項８３】
直立安定性及び／又は頑強性を有する高い茎の根付いていない原材料をプラグトレイで生長させる工程をさらに含む、請求項８２に記載の方法。
【請求項８４】
完成した高い茎の接木されたカリブラコア属の植物を生成するように、繁殖材料を生長させる工程をさらに含む、請求項７９に記載の方法。
【請求項８５】
請求項４５に記載の方法により生成された植物の部分。
【請求項８６】
根付いた切穂、根付いていない切穂、接木された根付いた切穂、根付いていない接木された切穂、花、及び植物の他の生長力のある部分又は繁殖部分から成る群より選択される、請求項８５に記載の植物の部分。
【請求項８７】
請求項４５に記載の方法により生成された植物の、接木された繁殖材料であって、接木された苗、接木された根付いた切穂、接木された根付いていない切穂、接木された実生、高い茎の接木された苗、及び高い茎の接木された根付いていない切穂から成る群より選択される、前記繁殖材料。
【請求項８８】
台木に、少なくとも２つの異なる接ぎ穂を接木する工程をさらに含む、請求項４５に記載の方法。
【請求項８９】
台木に、少なくとも２つの異なる接ぎ穂を接木する工程をさらに含み、接ぎ穂が異なる品種に属しかつ台木と適合性である、請求項４５に記載の方法。
【請求項９０】
花序の色、果実の形状、生長パターン、及びそれらの組合せから成る群より選択される少なくとも１つの異なる特徴を有する異なる接ぎ穂を提供する工程をさらに含む、請求項８９に記載の方法。
【発明の詳細な説明】
【技術分野】
【０００１】
[01]  本発明は、接木植物の分野、及び接木植物を提供するための方法に関する。
【背景技術】
【０００２】
[02]  カリブラコア属（Calibrachoa）は、ナス（イネホオズキ）科の植物の属である。これらの植物は、弱い常緑の短命の多年草及び亜低木であり、不規則に広がる成長パターンを有する。カリブラコア属の植物は、小さいペチュニア（Petunia）型の花を有する。
【０００３】
[03]  カリブラコア属は、ペチュニア属の近縁である。しかしながら、染色体には、２つの属を区別する外観の相違や受精要因に対応する主要な相違が存在することが分かっている。カリブラコア属に関して、分類学的な情報はほとんどないようである。http://www.clamerinforma.it/News/NewsDetEn.asp?id+1480において入手できる刊行物は、２つの属を分けて様々なカリブラコア属の種を特性付けるために、カリブラコア属の１６種及びペチュニア属の８種の葉の解剖学を記載している。カリブラコア属及びペチュニア属は、両方とも観賞用、薬用及び栄養のある種として重要である。ペチュニア属は、ｎ＝７の染色体倍数性レベルを有する。ほとんどの種は、草本及び一年生である。カリブラコア属の種は、主にサブアルバスティブ（sub-arbustive）かつ多年生であり、観賞用の品種は、本質的にカリブラコア・パルウィフロラ（Calibrachoa parviflora）に由来する。さらに、多数のカリブラコア種が特に植物性の特性においてかなりのバリエーションを示すことが、報告された。
【０００４】
[04]  植物の育種者は、カリブラコア属及びペチュニア属の種の交雑並びに選択プログラムにより、品種を作り出してきた。例えば、ペトコア（Petchoa）は、遺伝学的に類似したカリブラコア属及びペチュニア属の交配に由来する属間雑種である。さらに、ガーデンハイブリッド（garden hybrids）は、ペチュニア・アキシラリス（Petunia axillaris）及びペチュニア・インテグリフォリア（Petunia integrifolia）間の交配に由来する。
【０００５】
[05]  Wismansへの米国特許第７８９１１３４号“METHOD OF PRODUCING A HORTICULTURAL DISPLAY”は、同じ又は異なる植物種の１より多くの品種を含有する園芸展示を製作する方法を開示している。植物は、単一の増殖細胞において根付き（rooted）、単一の容器中で栽培された根付いていない切穂（unrooted cuttings）から、最終的な生産物が１より多くの植物種又は１より多くの植物品種又は両方を含むように生産される。さらに、根付いていない植物の切穂は、ペチュニア属及びカリブラコア属の種を含み得ることが、開示されている。種の選択は、魅力的な補色並びに合致した生育習性及び開花時期に基づいている。しかし、ペチュニア属の種及びカリブラコア属の種は、異なる草勢及び根付き特性を有するため、著しい調整努力が、単に同じ容器中で生長した２つの植物種又は植物品種を得るために必要とされる。
【０００６】
[06]  Stoverへの米国特許第７７８６３４２号“DOUBLE FLOWER CALIBRACHOA BREEDING METHODS AND PLANTS PRODUCED THEREFROM”は、カリブラコア属の２つの親種を交配させることにより八重咲きのカリブラコア属の種の植物を育種するための方法を開示している。
【０００７】
[07]  Sakazakiへの米国特許出願第２０１４００５９７１０Ａ１号“CALIBRACHOA PLANT WITH STAR PATTERN”は、白色の星のパターンを有する暗黄色の花を有する少なくとも１つの花序を示すカリブラコア属の植物を教示している。カリブラコア属の植物は、星型のパターンを有する少なくとも１つの花序を含む第１のカリブラコア属の植物を、星型のパターンを有する花序を含まない第２のカリブラコア属の植物と交配させ、星型のパターンを有する子孫を選択することにより、生成される。
【０００８】
[08]  上記を考慮して、非常に商業的に望ましい向上した農学的及び観賞的特性を有する接木されたカリブラコア属の植物の生成に関する長年必要が感じられている未だ対処されていない必要性が存在するのは、明らかである。
【先行技術文献】
【特許文献】
【０００９】
【特許文献１】米国特許第７８９１１３４号
【特許文献２】米国特許第７７８６３４２号
【特許文献３】米国特許出願第２０１４００５９７１０Ａ１号
【発明の概要】
【００１０】
[09]  従って、接木されたカリブラコア属の植物であって、前記の植物がカリブラコア属の接ぎ穂を接木された台木を含む植物を開示することは、本発明の１つの目的である。
[10]  上記で定義された植物であって、前記の台木が前記のカリブラコア属の接ぎ穂と適合性である植物を開示することは、本発明のさらなる目的である。
【００１１】
[11]  上記のいずれかにおいて定義された植物であって、前記の植物が苗及び根付いていない原材料から成る群より選択される繁殖材料に由来する植物を開示することは、本発明のさらなる目的である。
【００１２】
[12]  上記のいずれかにおいて定義された植物であって、前記の苗が、根付いた切穂、実生、接木された根付いた切穂、及び接木された実生から成る群より選択される植物を開示することは、本発明のさらなる目的である。
【００１３】
[13]  上記のいずれかにおいて定義された植物であって、前記の根付いていない原材料が、根付いていない切穂及び根付いていない接木された切穂から成る群より選択される植物を開示することは、本発明のさらなる目的である。
【００１４】
[14]  上記のいずれかにおいて定義された植物であって、前記の根付いていない原材料が、プラグトレイにおける挿入及び生長に適合している植物を開示することは、本発明のさらなる目的である。
【００１５】
[15]  上記のいずれかにおいて定義された繁殖材料に由来する完成した植物を開示することは、本発明のさらなる目的である。
[16]  上記のいずれかにおいて定義された植物であって、前記の台木が、種子、根付いた切穂、根付いていない切穂、実生、接木された根付いた切穂、接木された根付いていない切穂及び接木された根付いていない実生から成る群より選択される繁殖材料に由来する植物を開示することは、本発明のさらなる目的である。
【００１６】
[17]  上記のいずれかにおいて定義された植物であって、前記の台木が、ナス科に属する植物を開示することは、本発明のさらなる目的である。
[18]  上記のいずれかにおいて定義された植物であって、前記の台木が、ヤコウカ亜科（Cestroideae）、ゴエツエオイデアエ亜科（Goetzeoideae）、タバコ亜科（Nicotianoideae）、ペチュニア亜科（Petunioideae）、ムレゴチョウ亜科（Schizanthoideae）、シュウェンキオイデアエ亜科（Schwenckioideae）及びナス亜科（Solanoideae）から成る群より選択される植物を開示することは、本発明のさらなる目的である。
【００１７】
[19]  上記のいずれかにおいて定義された植物であって、前記の台木が、ナス属（Solanum）、トウガラシ属（Capsicum）、ペチュニア属（Petunia）及びカリブラコア属（Calibrachoa）から成る群より選択される植物を開示することは、本発明のさらなる目的である。
【００１８】
[20]  上記のいずれかにおいて定義された植物であって、前記の台木が、ペチュニア・アルピコラ（Petunia alpicola）、Ｐ．アルティプラナ（P. altiplana）、Ｐ．アキシラリス（P. axillaris）、Ｐ．バジェーンシス（P. bajeensis）、Ｐ．ボンジャージネンシス（P. bonjardinensis）、Ｐ．エクスセルタ（P. exserta）、Ｐ．グアラプアベンシス（P. guarapuavensis）、Ｐ．ヘリアンセモイデス（P. helianthemoides）、Ｐ．フミフーサ（P. humifusa）、Ｐ．インフラータ（P. inflate）、Ｐ．インテグリフォリア（P. integrifolia）、Ｐ．インテリア（P. interior）、Ｐ．レディフォリア（P. ledifolia）、Ｐ．リットラリス（P. littoralis）、Ｐ．マンチクエイレンシス（P. mantiqueirensis）、Ｐ．オクシデンタリス（P. occidentalis）、Ｐ．パルビフローラ（P. parviflora）、Ｐ．パタゴニカ（P. patagonica）、Ｐ．プベスセンス（P. pubescens）、Ｐ．レイツィー（P. reitzii）、Ｐ．リオグランデンシス（P. riograndensis）、Ｐ．サクシコーラ（P. saxicola）、Ｐ．シェイデアーナ（P. scheideana）、Ｐ．バリアビリス（P. variabilis）、Ｐ．ビラディアーナ（P. villadiana）、Ｐ．ｘ  アトキンシアナ（P. ｘ atkinsiana）及びＰ．ハイブリダ（P. hybrida）種から成る群より選択される植物を開示することは、本発明のさらなる目的である。
【００１９】
[21]  上記のいずれかにおいて定義された植物であって、前記の台木が、カリブラコア・カエシア（Calibrachoa caesia）、カリブラコア・カリシナ（Calibrachoa calycina）、カリブラコア・デュセニイ（Calibrachoa dusenii）、カリブラコア・エグランデュラータ（Calibrachoa eglandulata）、カリブラコア・エレガンス（Calibrachoa elegans）、カリブラコア・エリシフォリア（Calibrachoa ericaefolia）、カリブラコア・エクセレンス（Calibrachoa excellens）、カリブラコア・ハスレリアナ（Calibrachoa hassleriana）、カリブラコア・ヘテロフィラ（Calibrachoa heterophylla）、カリブラコア・フミリス（Calibrachoa humilis）、カリブラコア・リネアリス（Calibrachoa linearis）、カリブラコア・パルビフローラ（Calibrachoa parviflora）、カリブラコア・ピグマエア（Calibrachoa pygmaea）、カリブラコア・ルペストリス（Calibrachoa rupestris）、カリブラコア・セロウィアナ（Calibrachoa sellowiana）、カリブラコア・スパスラタ（Calibrachoa spathulata）及びカリブラコア・ティミフォリア（Calibrachoa thymifolia）、カリブラコア  ｘ  ハイブリダ（Calibrachoa ｘ hybrida）並びにペトコア種から成る群より選択される植物を開示することは、本発明のさらなる目的である。
【００２０】
[22]  上記のいずれかにおいて定義された植物であって、前記の台木が、リコペルシカム（lycopersicum）、ツベロスム（tuberosum）及びメロンゲナ（melongena）種から成る群より選択される植物を開示することは、本発明のさらなる目的である。
【００２１】
[23]  上記のいずれかにおいて定義された植物であって、前記の接ぎ穂が、種子、根付いた切穂、根付いていない切穂、実生、接木された根付いた切穂、接木された根付いていない切穂及び接木された根付いていない実生から成る群より選択される繁殖材料に由来する植物を開示することは、本発明のさらなる目的である。
【００２２】
[24]  上記のいずれかにおいて定義された植物であって、前記の接ぎ穂が、カリブラコア属のものである植物を開示することは、本発明のさらなる目的である。
[25]  上記のいずれかにおいて定義された植物であって、前記の接ぎ穂が、カリブラコア・カエシア、カリブラコア・カリシナ、カリブラコア・デュセニイ、カリブラコア・エグランデュラータ、カリブラコア・エレガンス、カリブラコア・エリシフォリア、カリブラコア・エクセレンス、カリブラコア・ハスレリアナ、カリブラコア・ヘテロフィラ、カリブラコア・フミリス、カリブラコア・リネアリス、カリブラコア・パルビフローラ、カリブラコア・ピグマエア、カリブラコア・ルペストリス、カリブラコア・セロウィアナ、カリブラコア・スパスラタ及びカリブラコア・ティミフォリア種から成る群より選択される植物を開示することは、本発明のさらなる目的である。
【００２３】
[26]  上記のいずれかにおいて定義された植物であって、前記の台木が、前記の接ぎ穂との少なくとも１つの適合可能な特徴を有する植物を開示することは、本発明のさらなる目的である。
【００２４】
[27]  上記のいずれかにおいて定義された植物であって、接ぎ穂との少なくとも１つの適合可能な特徴が、以下：類似の茎又はシュート直径、類似の生長パターン、分類学的類似性、遺伝的類似性、解剖学的類似性、台木と接ぎ穂との均一な接着点の形成、顕著なカルスの非存在、茎からのサイドシュートの形成抑制、カルスからの新芽の形成抑制、太く木質の茎、対応する何も接木されていない対照植物と比較して類似した、又は増進された接ぎ穂の正常な発達、並びにそれらの組合せから成る群より選択される植物を開示することは、本発明のさらなる目的である。
【００２５】
[28]  上記のいずれかにおいて定義された植物であって、前記の台木が、望ましい農学的及び／又は園芸的特徴を有する植物を開示することは、本発明のさらなる目的である。
[29]  上記のいずれかにおいて定義された植物であって、前記の望ましい農学的及び／又は園芸的特徴が、根付きの高い可能性、高い根付きの質、発達した根系、カルス形成、カルスからの最小限の新芽、茎からの最小限のサイドシュートの発達、太い茎、長い節間部、頑健性、まばらな開花、直幹の生成、木質性、強い根系、増進された茎の高さ、草勢、ストレス耐性、疾患抵抗性、病原体に対する抵抗性、虫の外寄生に対する抵抗性、非生物的ストレスに対する抵抗性及びそれらの組合せから成る群より選択される植物を開示することは、本発明のさらなる目的である。
【００２６】
[30]  上記のいずれかにおいて定義された植物であって、前記の望ましい農学的及び／又は園芸的特徴が、少なくとも８０％の根付きの可能性、８０％未満のカルスからの新芽の分化、９０％未満の茎からのサイドシュート、少なくとも５ｍｍの平均の茎の太さ、少なくとも１０ｍｍの平均の節間部の長さ及びそれらの組合せから成る群より選択される植物を開示することは、本発明のさらなる目的である。
【００２７】
[31]  上記のいずれかにおいて定義された植物であって、ストレス耐性が、低温耐性、高温耐性、水がれ耐性、塩耐性、ｐＨ耐性及びそれらの組合せから成る群より選択される非生物的ストレス耐性を含む植物を開示することは、本発明のさらなる目的である。
【００２８】
[32]  上記のいずれかにおいて定義された植物であって、ストレス耐性が、疾患抵抗性、虫抵抗性、及び線虫抵抗性、土壌伝播性病原体に対する向上した抵抗性並びにそれらの組合せから成る群より選択される生物的ストレス耐性を含む植物を開示することは、本発明のさらなる目的である。
【００２９】
[33]  上記のいずれかにおいて定義された植物であって、前記の接ぎ穂が、前記の台木上に５０ｃｍまでの高さで接木されている植物を開示することは、本発明のさらなる目的である。
【００３０】
[34]  上記のいずれかにおいて定義された植物であって、前記の接ぎ穂が、前記の台木上に少なくとも１０ｃｍの高さで接木されている植物を開示することは、本発明のさらなる目的である。
【００３１】
[35]  上記のいずれかにおいて定義された植物であって、前記の接ぎ穂が、密集した開花、独特の花の色、低い〜中程度の台木との不適合、発達した植物の少なくとも５０％の生産量（output）、及びそれらの組合せから成る群より選択される少なくとも１つの特徴により特性付けられる植物を開示することは、本発明のさらなる目的である。
【００３２】
[36]  上記のいずれかにおいて定義された植物であって、前記の台木が、少なくとも２つの異なる接ぎ穂を用いて接木され、前記の接ぎ穂が、異なる品種に属し、かつ前記の台木と適合性である植物を開示することは、本発明のさらなる目的である。
【００３３】
[37]  上記のいずれかにおいて定義された植物であって、前記の異なる接ぎ穂が、花序の色、果実の形状、生長パターン及びそれらの組合せから成る群より選択される少なくとも１つの異なる特徴を有する植物を開示することは、本発明のさらなる目的である。
【００３４】
[38]  上記のいずれかにおいて定義された植物であって、前記の接木されたカリブラコア属の植物が、接木されていないカリブラコア属の植物と比較して、増進された高さ又は高い茎の植物、独特の接着点、木質性、台木及び接ぎ穂の間の類似したシュート直径、強い根系、生物的ストレスに対する耐性、非生物的ストレスに対する耐性、均一性、低減した葉の黄変、頑健な生長、増進された花序収率（inflorescence yield）、切穂のような植物繁殖材料の増進された収率、増進された地上部の収率（aerial yield）、１より多くのカリブラコア属の種又は品種の１つの植物上での組合せ及びそれらの組合せから成る群より選択される望ましい観賞的及び／又は農学的及び／又は園芸的特徴を有する植物を開示することは、本発明のさらなる目的である。
【００３５】
[39]  上記のいずれかにおいて定義された植物であって、前記の植物が、最終的な商業的なプランター又はポット又は他の栽培容器に植えられる植物を開示することは、本発明のさらなる目的である。
【００３６】
[40]  上記のいずれかにおいて定義された植物であって、前記の最終的な商業的なプランター又はポット又は他の栽培容器が、１リットル以下の容積を有する植物を開示することは、本発明のさらなる目的である。
【００３７】
[41]  上記のいずれかにおいて定義された植物であって、前記の最終的な商業的なプランター又はポット又は他の栽培容器が、１リットル以上の容積を有する植物を開示することは、本発明のさらなる目的である。
【００３８】
[42]  上記のいずれかにおいて定義された植物であって、前記の植物が、高い茎の接木されたカリブラコア属である植物を開示することは、本発明のさらなる目的である。
[43]  上記のいずれかにおいて定義された植物であって、前記の高い茎の接木されたカリブラコア属の植物が、高い茎の接木された苗及び根付いていない高い茎の接木された原材料から成る群より選択される繁殖材料に由来する植物を開示することは、本発明のさらなる目的である。
【００３９】
[44]  上記のいずれかにおいて定義された植物であって、前記の高い茎の苗が、根付いた切穂、実生、接木された根付いた切穂、及び接木された実生から成る群より選択される植物を開示することは、本発明のさらなる目的である。
【００４０】
[45]  上記のいずれかにおいて定義された植物であって、前記の高い茎の根付いていない原材料が、根付いていない切穂及び根付いていない接木された切穂から成る群より選択される植物を開示することは、本発明のさらなる目的である。
【００４１】
[46]  上記のいずれかにおいて定義された植物であって、前記の高い茎の根付いていない原材料が、プラグトレイ中に植えられている際に直立安定性及び／又は頑強性に適合している植物を開示することは、本発明のさらなる目的である。
【００４２】
[47]  上記のいずれかにおいて定義された繁殖材料由来の高い茎の接木された完成した植物を開示することは、本発明のさらなる目的である。
[48]  上記のいずれかにおいて定義された完成した植物であって、前記の植物が、ポット又は栽培容器に植えられている際に直立安定性及び／又は頑強性に適合している植物を開示することは、本発明のさらなる目的である。
【００４３】
[49]  上記のいずれかにおいて定義された高い茎の接木されたカリブラコア属の切穂又は根付いていない切穂、接木された切穂又は接木された根付いていない切穂。
[50]  上記のいずれかにおいて定義された植物の部分を開示することは、本発明のさらなる目的である。
【００４４】
[51]  上記のいずれかにおいて定義された植物であって、前記の植物の部分が、根付いた切穂、根付いていない切穂、接木された根付いた切穂、根付いていない接木された切穂、花及び植物の他の生長力のある部分又は繁殖（reproductive）部分から成る群より選択される植物を開示することは、本発明のさらなる目的である。
【００４５】
[52]  上記のいずれかにおいて定義された植物の接木された繁殖材料であって、前記の繁殖材料が、接木された苗、接木された根付いた切穂、接木された根付いていない切穂、接木された実生、高い茎の接木された苗及び高い茎の接木された根付いていない切穂から成る群より選択される植物の接木された繁殖材料を開示することは、本発明のさらなる目的である。
【００４６】
[53]  カリブラコア属を接木された植物を生成するための方法であって、以下の工程：（ａ）カリブラコア属の接ぎ穂を提供し；（ｂ）前記のカリブラコア属の接ぎ穂との適合性のために台木を調整し；そして（ｃ）前記の接ぎ穂を前記の台木の上に接木し、それにより接木されたカリブラコア属の植物を生成する；を含む方法を開示することは、本発明のさらなる目的である。
【００４７】
[54]  上記で定義された方法であって、前記の調整の工程が、さらに前記の台木を望ましい農学的及び／又は園芸的特徴を有するように生長させる工程を含む方法を開示することは、本発明のさらなる目的である。
【００４８】
[55]  上記のいずれかにおいて定義された方法であって、前記の望ましい農学的及び／又は園芸的特徴が、根付きの高い可能性、高い根付きの質、茎からの最小限のサイドシュートの発達、太い茎、長い節間部、頑健性、まばらな開花、直幹の生成、木質性、強い根系、増進された茎の高さ、草勢、ストレス耐性、疾患抵抗性、病原体に対する抵抗性、虫の外寄生に対する抵抗性、非生物的ストレスに対する抵抗性、及びそれらの組合せから成る群より選択される方法を開示することは、本発明のさらなる目的である。
【００４９】
[56]  上記のいずれかにおいて定義された方法であって、前記の望ましい農学的及び／又は園芸的特徴が、少なくとも８０％の根付きの可能性、８０％より低いカルスからの新芽の分化、９０％未満の茎からのサイドシュート、少なくとも５ｍｍの平均の茎の太さ、少なくとも１０ｍｍの平均の節間部の伸長及びそれらの組合せから成る群より選択される方法を開示することは、本発明のさらなる目的である。
【００５０】
[57]  上記のいずれかにおいて定義された方法であって、さらに、密集した開花、独特の花の色、低い〜中程度の台木との不適合、発達した植物の少なくとも５０％の生産量、及びそれらの組合せから成る群より選択される少なくとも１つの特徴を有する接ぎ穂を選択する工程を含む方法を開示することは、本発明のさらなる目的である。
【００５１】
[58]  上記のいずれかにおいて定義された方法であって、調整の工程が、接ぎ穂に接木された台木を生長させる工程、並びに台木と接ぎ穂との均一な接着点、台木と接ぎ穂との類似したシュート直径、顕著なカルスの非存在、茎からのサイドシュートの形成抑制、カルスからの新芽の形成抑制、及びそれらの組合せから成る群より選択される特徴を得る工程をさらに含む方法を開示することは、本発明のさらなる目的である。
【００５２】
[59]  上記のいずれかにおいて定義された方法であって、さらに、前記のカリブラコア属を接木された植物を提供するために、苗及び根付いていない原材料から成る群より選択される繁殖材料を生成し、予め決定された生長条件で生長させる工程を含む方法を開示することは、本発明のさらなる目的である。
【００５３】
[60]  上記のいずれかにおいて定義された方法であって、さらに、前記の苗を、根付いた切穂、実生、接木された根付いた切穂、及び接木された実生から成る群より選択する工程を含む方法を開示することは、本発明のさらなる目的である。
【００５４】
[61]  上記のいずれかにおいて定義された方法であって、さらに、前記の根付いていない原材料を、根付いていない切穂及び根付いていない接木された切穂から成る群より選択るる工程を含む方法を開示することは、本発明のさらなる目的である。
【００５５】
[62]  上記のいずれかにおいて定義された方法であって、さらに、前記の根付いていない原材料を、プラグトレイにおいて生長させる工程を含む方法を開示することは、本発明のさらなる目的である。
【００５６】
[63]  上記のいずれかにおいて定義された方法であって、さらに、前記の繁殖材料を、完成した接木されたカリブラコア属の植物を生成するように生長させる工程を含む方法を開示することは、本発明のさらなる目的である。
【００５７】
[64]  上記のいずれかにおいて定義された方法であって、さらに、前記の台木植物の種子、根付いた切穂、根付いていない切穂、実生、接木された根付いた切穂、接木された根付いていない切穂及び接木された実生から成る群より選択される繁殖材料又は苗又は原材料を、予め決定された生長条件において前記の接ぎ穂による接木に適しているように生長させる工程を含む方法を開示することは、本発明のさらなる目的である。
【００５８】
[65]  上記のいずれかにおいて定義された方法であって、さらに、前記の接ぎ穂の種子、根付いた切穂、根付いていない切穂、実生、接木された根付いた切穂、接木された根付いていない切穂及び接木された実生から成る群より選択される繁殖材料又は苗又は原材料を、予め決定された生長条件において前記の接ぎ穂による接木に適しているように生長させる工程を含む方法を開示することは、本発明のさらなる目的である。
【００５９】
[66]  上記のいずれかにおいて定義された方法であって、生長した台木植物の密度を面積あたりの植物の数を制御することにより調節する追加の工程を含む方法を開示することは、本発明のさらなる目的である。
【００６０】
[67]  上記のいずれかにおいて定義された方法であって、大きさ、セルの形状、材料、密度及びそれらの組合せから成る群より選択されるパラメーターにより適切な生長トレイを選択する追加の工程を含む方法を開示することは、本発明のさらなる目的である。
【００６１】
[68]  上記のいずれかにおいて定義された方法であって、前記の台木を予め決定された施肥潅漑及び遮光計画の下で生長させる追加の工程を含む方法を開示することは、本発明のさらなる目的である。
【００６２】
[69]  上記のいずれかにおいて定義された方法であって、暗中退色した台木植物を得るために制御された低照射計画を適用する追加の工程を含む方法を開示することは、本発明のさらなる目的である。
【００６３】
[70]  上記のいずれかにおいて定義された方法であって、生長した台木植物の開花タイミングを植物の光周期反応に影響を及ぼすことにより制御する追加の工程を含む方法を開示することは、本発明のさらなる目的である。
【００６４】
[71]  上記のいずれかにおいて定義された方法であって、生長した台木を支持し、形を整えるためのトレーリング（trailing）及び安定化手段を用いる追加の工程を含む方法を開示することは、本発明のさらなる目的である。
【００６５】
[72]  上記のいずれかにおいて定義された方法であって、棒、クリップ、花の切り取り、トレーリングネット、プラスチックトレーフレーム及びそれらの組合せから成る群より選択されるトレーリング及び安定化手段を用いる追加の工程を含む方法を開示することは、本発明のさらなる目的である。
【００６６】
[73]  上記のいずれかにおいて定義された方法であって、選択された台木植物を、温度、相対湿度、電気伝導度、照明レベル、遮光レベル、ｐＨ、灌漑間隔、施肥溶液及び計画並びにそれらの組合せから成る群より選択されるパラメーターを制御することにより、予め決定されたプロトコルで生長させる追加の工程を含む方法を開示することは、本発明のさらなる目的である。
【００６７】
[74]  上記のいずれかにおいて定義された方法であって、農薬ベースの処理、除草剤処理、殺虫剤処理、殺真菌剤処理、生物学的害虫制御処理及びそれらの組合せから成る群より選択される植物保護処理を適用する追加の工程を含む方法を開示することは、本発明のさらなる目的である。
【００６８】
[75]  上記のいずれかにおいて定義された方法であって、台木生産のために生長させるべき植物繁殖材料の少なくとも１つの特性を調和させる追加の工程を含み、前記の少なくとも１つの特性が、根系の発達（発達速度、発達に関する条件、大きさ、機能性及び根付きの生産量（rooting output）のような特性を含む）；胚軸の大きさ；胚軸の長さ；茎の直径；節の数；節間部の長さ及びそれらの組合せから成る群より選択される方法を開示することは、本発明のさらなる目的である。
【００６９】
[76]  上記のいずれかにおいて定義された方法であって、さらに前記の接ぎ穂及び前記の台木の間の接着を高めて接木接合部を形成する工程を含む方法を開示することは、本発明のさらなる目的である。
【００７０】
[77]  上記のいずれかにおいて定義された方法であって、さらに前記の台木を５０ｃｍまでの予め決定された高さまで、及び予め決定された茎直径まで生長させる工程を含む方法を開示することは、本発明のさらなる目的である。
【００７１】
[78]  上記のいずれかにおいて定義された方法であって、さらに前記の台木を少なくとも１０ｃｍの予め決定された高さまで生長させる工程を含む方法を開示することは、本発明のさらなる目的である。
【００７２】
[79]  上記のいずれかにおいて定義された方法であって、さらに前記の台木植物の生長を、前記の接ぎ穂との接木に適した生長特徴を達成するように操作して調和させる工程を含み、前記の生長特徴が、根系の発達、胚軸の大きさ、胚軸の長さ、茎直径、節の数、節の長さ、茎直径、茎の高さ、生長パターン、開花時間及びそれらの組合せから成る群より選択される方法を開示することは、本発明のさらなる目的である。
【００７３】
[80]  上記のいずれかにおいて定義された方法であって、さらに前記の接ぎ穂を前記の台木上に、合わせ接ぎ、芽接ぎ、割り接ぎ、腹接ぎ、寄接ぎ、穴差込接ぎ、一子葉接ぎ（one cotyledon grafting）、舌接ぎ、切り株接ぎ（stub grafting）、４フラップ接ぎ（four flap grafting）、突き錐接ぎ、切接ぎから成る群より選択される接木技法により、並びに草本植物を接木するのに適した他の接木技法及びそれらの組合せにより接木する工程を含む方法を開示することは、本発明のさらなる目的である。
【００７４】
[81]  上記のいずれかにおいて定義された方法であって、さらに前記の接木された植物を最終的な商業的なプランター若しくはポット又は他の栽培容器に植える工程を含む方法を開示することは、本発明のさらなる目的である。
【００７５】
[82]  上記のいずれかにおいて定義された方法であって、さらに前記の接木された植物を１リットル以下の容積を有する最終的な商業的なプランター若しくはポット又は他の栽培容器に植える工程を含む方法を開示することは、本発明のさらなる目的である。
【００７６】
[83]  上記のいずれかにおいて定義された方法であって、さらに前記の接木された植物を１リットル以上の容積を有する最終的な商業的なプランター若しくはポット又は他の栽培容器に植える工程を含む方法を開示することは、本発明のさらなる目的である。
【００７７】
[84]  上記のいずれかにおいて定義された方法であって、さらに、接木されていないカリブラコア属の植物と比較して増進された高さ又は高い茎の植物、強い根系、生物的ストレスに対する耐性、非生物的ストレスに対する耐性、均一性、低減した葉の黄変、頑健な生長、増進された花序収率、切穂のような植物繁殖材料の増進された収率、増進された地上部の収率、１より多くのカリブラコア属の種又は品種の１つの植物上での組合せ及びそれらの組合せから成る群より選択される望ましい観賞的及び／又は園芸的特徴を有する接木されたカリブラコア属の植物を生成する工程を含む方法を開示することは、本発明のさらなる目的である。
【００７８】
[85]  上記のいずれかにおいて定義された方法であって、さらに、高い茎の接木されたカリブラコア属を生成する工程を含む方法を開示することは、本発明のさらなる目的である。
【００７９】
[86]  上記のいずれかにおいて定義された方法であって、さらに、台木を少なくとも約１０ｃｍの予め決定された高さ及び予め決定された茎直径まで生長させ、カリブラコア属の接ぎ穂を前記の台木上に前記の予め決定された高さにおいて接木する工程を含む方法を開示することは、本発明のさらなる目的である。
【００８０】
[87]  上記のいずれかにおいて定義された方法であって、さらに、高い茎の苗及び根付いていない高い茎の原材料から成る群より選択される繁殖材料を生成し、前記のカリブラコア属の高い茎の接木された植物を提供するように予め決定された生長条件において生長させる工程を含む方法を開示することは、本発明のさらなる目的である。
【００８１】
[88]  上記のいずれかにおいて定義された方法であって、さらに、前記の高い茎の苗を、根付いた高い茎の切穂、高い茎の実生、接木された高い茎の根付いた切穂、及び接木された高い茎の実生から成る群より選択する工程を含む方法を開示することは、本発明のさらなる目的である。
【００８２】
[89]  上記のいずれかにおいて定義された方法であって、さらに、前記の高い茎の根付いていない原材料を、根付いていない高い茎の切穂及び根付いていない高い茎の接木された切穂から成る群より選択する工程を含む方法を開示することは、本発明のさらなる目的である。
【００８３】
[90]  上記のいずれかにおいて定義された方法であって、さらに、前記の高い茎の根付いていない高い茎の原材料をプラグトレイ中に植える工程を含む方法を開示することは、本発明のさらなる目的である。
【００８４】
[91]  上記のいずれかにおいて定義された方法であって、さらに、直立安定性及び／又は頑強性を有する前記の高い茎の根付いていない高い茎の原材料をプラグトレイ中で生長させる工程を含む方法を開示することは、本発明のさらなる目的である。
【００８５】
[92]  上記のいずれかにおいて定義された方法であって、さらに、前記の繁殖材料を、完成した高い茎の接木されたカリブラコア属の植物を生成するように生長させる工程を含む方法を開示することは、本発明のさらなる目的である。
【００８６】
[93]  上記のいずれかにおいて定義された方法により生成された植物の部分を開示することは、本発明のさらなる目的である。
[94]  上記で定義された植物の部分であって、前記の植物の部分が、根付いた切穂、根付いていない切穂、接木された根付いた切穂、根付いていない接木された切穂、花及び植物の他の生長力のある部分又は繁殖部分から成る群より選択される植物の部分を開示することは、本発明のさらなる目的である。
【００８７】
[95]  上記のいずれかにおいて定義された方法により生成された植物の接木された繁殖材料であって、前記の繁殖材料が、接木された苗、接木された根付いた切穂、接木された根付いていない切穂、接木された実生、高い茎の接木された苗及び高い茎の接木された根付いていない切穂から成る群より選択される接木された繁殖材料を開示することは、本発明のさらなる目的である。
【００８８】
[96]  上記のいずれかにおいて定義された方法であって、さらに前記の台木に少なくとも２つの異なる接ぎ穂を接木する工程を含む方法を開示することは、本発明のさらなる目的である。
【００８９】
[97]  上記のいずれかにおいて定義された方法であって、さらに前記の台木に少なくとも２つの異なる接ぎ穂を接木する工程を含み、前記の接ぎ穂が異なる品種に属し、前記の台木と適合性である方法を開示することは、本発明のさらなる目的である。
【００９０】
[98]  上記のいずれかにおいて定義された方法であって、さらに花序の色、果実の形状、生長パターン及びそれらの組合せから成る群より選択される少なくとも１つの異なる特徴を有する前記の異なる接ぎ穂を提供する工程を含む方法を開示することは、本発明のさらなる目的である。
【００９１】
[99]  本発明を理解するため、そしてそれがどのように実際に実施され得るかを理解するため、添付の図面を参照して、いくつかの態様を非限定的な例としてのみ記載する。
【図面の簡単な説明】
【００９２】
【図１】[100]  図１Ａは、異なるペチュニア・サフィニア（Petunia surfinia）の台木の根付きの高い可能性を実証する写真での図説を示す。  [101]  図１Ｂは、本発明において特に記載されている方法により生成された高い茎のペチュニア・サフィニアの台木の写真での図説を示す。
【図２】[102]  図２は、ペチュニア属の台木の上に接木されたカリブラコア属の種のカルス形成、根付き及びカルスからの新芽の生長の望ましくない現象の写真での図説を示す。
【図３】[103]  図３は、ペチュニア属の台木の上に接木されたカリブラコア属の種のカルスからの新芽の生長を実証する写真での図説を示す。
【図４】[104]  図４は、カリブラコア属の接ぎ穂を接木された異なるペチュニア属の台木の幹の発達及び太さの写真での図説を示す。
【図５】[105]  図５は、台木であるペチュニア属の種‘Ｃｒａｚｙｔｕｎｉａ’のモデルＭａｎｄｅｖｉｌｌｅ及びＳｔｏｎｅ−ｗａｓ並びにカリブラコア属の種‘Ｃｈａｍｅｌｅｏｎ’のモデルＰｉｎｋ及びＰｕｒｐｌｅの接ぎ穂の間の不適合を実証する写真での図説を示す。
【図６】[106]  図６は、ペチュニア・サフィニアｐｉｎｋ上に接木されたカリブラコア属の種Ｃｈａｍｅｌｅｏｎ  ｐｉｎｋの接木点の崩壊の写真での図説を示す。
【図７】[107]  図７は、様々な花序の色の接木されたカリブラコア属の植物の写真での図説を示す。
【図８】[108]  図８は、温室条件下で２ヵ月間生長させた形を整えられた増進された高さの接木されたカリブラコア属の植物の写真での図説を示す。
【図９】[109]  図９は、短い台木を接木されたカリブラコア属の植物の写真での図説を示す。
【図１０】[110]  図１０は、本発明の１つの態様として、台木として生長させたペチュニア属の植物の写真での図説を示す。
【図１１】[111]  図１１は、約２０ｃｍの高さでペチュニア属の台木上に接木されたカリブラコア属の植物の写真での図説を示す。
【図１２】[112]  図１２は、剪定及び整形の適用の前（図１２Ａ）後（図１２Ｂ）の接木されたカリブラコア属の植物の写真での図説を示す。
【図１３】[113]  図１３は、剪定後の成熟した接木されたカリブラコア属の植物の写真での図説を示す。
【図１４】[114]  図１４は、ポットへの植え替えの２〜３週間後の増進された高さのカリブラコア属の接ぎ木された植物の写真での図説を示す。
【図１５】[115]  図１５は、本発明の１つの態様として、ソラヌム属（Solanum）の台木上に接木されたカリブラコア属の接ぎ穂の写真での図説を示す。
【発明を実施するための形態】
【００９３】
[116]  以下の記載は、本発明の全ての章と並んで、当業者が本発明を利用することを可能にするように提供されており、本発明の実施の発明者により意図されている最高の方式を述べている。しかし、本発明の一般的な原理は、特に接木されたカリブラコア属の植物及びその生産物を生産するための手段及び方法を提供するように定められているため、様々な修正が、当業者に明らかであるままであろう。
【００９４】
[117]  カリブラコア属の望ましい観賞的特徴、例えば花の色の多様性（例えば、暗い色、黄色、橙色及び赤色）を、カリブラコア属を適切な台木を用いて接木することにより提供される強健な生長特徴（例えば、強い根系、頑強な茎、均一性並びに／又は熱、塩及び疾患に対する耐性）と共に組み合わせる商業的な必要性が、本発明により満たされ、達成される。
【００９５】
[118]  カリブラコア属の植物は、その観賞的特徴に関して、特にその花序の色の多様性に関して非常に望ましい。しかし、これらの植物は、比較的弱い根系を有し、様々な土壌及び水質にかなり影響されやすい。本発明は、カリブラコア属の接ぎ穂の、望ましい園芸的及び観賞的特徴、例えば以下の新規の特徴：高い茎、強い根系、強健な生長並びに生物的及び／又は非生物的ストレスに対する耐性の少なくとも１つを有する選択された適合性の台木上への接木を、初めて開示する。従って、新規の驚くべき商業的に価値のあるカリブラコア属の接木された植物が、提供される。
【００９６】
[119]  本発明の接木されたカリブラコア属の植物の生成及び提供は、独特かつ革新的な観賞的及び園芸的組合せ、例えば現在入手可能な低木型のカリブラコア属と比較して増進された高さのカリブラコア属の植物、現在入手可能な弱く敏感な品種と比較して望ましい付加価値、例えば熱、アルカリ性及び塩耐性を有する接木されたカリブラコア属の植物、独特に設計された接木されたカリブラコア属の植物、並びにカリブラコア属の種又は品種の１つの植物内での新規の組合せの達成を、初めて可能にする。
【００９７】
[120]  本発明は、以下の新規の意外な利点を含む：
１．接木されたカリブラコア属の植物の作製及び提供；
２．プラグトレイにおける植付けに適合した苗の形態の、又は根付いていない原材料の形態の接木されたカリブラコア属の繁殖材料の作製及び提供；
３．高い茎の接木されたカリブラコア属の作製及び提供；
４．プラグトレイにおける植付けに適合した苗の形態の、又は根付いていない原材料の形態の高い茎の接木された繁殖材料の作製及び提供。
【００９８】
[121]  さらに、本発明は、より高い切穂の収率をもたらし、従って切穂収率の効率を増大させる接木されたカリブラコア属の源植物（source plants）又は母本を提供する。
[122]  １つの態様によれば、本発明は、完成した接木されたカリブラコア属の生産物を生産及び開発し、それを小売業者又は最終使用者に販売するために栽培者により用いられる苗又は他の原材料の形態の新規の接木された繁殖材料を提供する。
【００９９】
[123]  接木されたカリブラコア属のフラワーポット（flowering pots）を製造するために用いられる繁殖材料、例えば苗又は根付いていない原材料を提供することは、本発明の範囲内である。そのような繁殖材料は、例えば、（１）根付いた切穂、実生、接木された根付いた切穂及び接木された実生を含む苗、並びに（２）根付いていない切穂及び接木された根付いていない切穂を含む根付いていない原材料又は繁殖材料を包含する。根付いていない接木された繁殖材料は、根の発達のためにプラグトレイ中に挿入され、その後仕上げ業者によりさらなる生長のためにポット又は植栽容器に植え替えられ、その後消費者に販売されるために小売業者へと配達されることができる。
【０１００】
[124]  従って、さらなる態様によれば、完成した接木された植物は、苗又は他の形態の原材料の形態で繁殖材料から生成され、本発明により提供される。
[125]  さらなる態様では、本発明は、高い茎の接木されたカリブラコア属を提供し、それは、切穂又は実生上に接木されることができる。
【０１０１】
[126]  さらなる側面において、本発明により提供される高い茎の接木されたカリブラコア属は、ポット又は植栽容器に植えられた際に、直立安定性及び／又は頑強性に適合している。高い茎の接木されたカリブラコア属は、望ましい特性、例えば強健な生長並びに強い茎及び根系を有し、それは、ポットに植えられた際にその頑強性及び直立安定性を可能にする。
【０１０２】
[127]  さらなる態様では、苗の形態の、又は根付いていない原材料の形態の高い茎の移植された繁殖材料が、本発明により初めて提供される。高い茎の接木された根付いていない原材料、例えば根付いていない切穂は、プラグトレイにおける挿入及び根の発達に適合している。一度根付いたら、高い茎の接木された苗は、仕上げのためのポット又は植栽容器への植え替えの用意ができている。
【０１０３】
[128]  さらに、本発明は、接木されたカリブラコア属の苗の生成のための根付いていない接木された切穂の生成及び供給を促進する。
[129]  様々な植物の属の根付いていない接木された切穂が、生産及び販売されているが、カリブラコア属の根付いていない接木された切穂も高い茎の接木された（又は接木されていない）根付いていない切穂も、先行技術には存在しないことは、強調されるべきである。そのようなカリブラコア属の根付いていない接木された切穂又は高い茎の接木された根付いていない切穂は、驚くべきことに本発明により初めて提供され、ポット中に埋め込まれ、植えられ、又はプラグトレイ中に根付き、頑強に、及び／又は直立安定的にプラグトレイ中で生長し、ポット中に、栽培容器に、又は花壇中に植えられるために仕上げ業者に販売されることができる。
【０１０４】
[130]  さらに、先行技術において生産及び販売されている接木された苗は存在するが、カリブラコア属の接木された苗又は高い茎の（接木された、又はされていない）苗は、先行技術には存在しないことを、特筆する。そのようなカリブラコア属の接木された苗又は高い茎の接木された苗は、驚くべきことに本発明により初めて提供される。
【０１０５】
[131]  前記の苗は、接木された、又はされていない切穂又は実生から生成されることができ、ポット又は植栽容器に植え替えられるために仕上げ業者に販売又は提供される。
[132]  定義
[133]  用語「接木された（engrafted plant）植物」又は「接木された（grafted plant）植物」は、以後本明細書において用いられる際、一般に、台木及び少なくとも１つの接ぎ穂を含む植物であって、その接ぎ穂が当該技術分野において公知のいずれかの方法により台木に接木されている植物を指す。特定の態様によれば、接ぎ穂は、カリブラコア属のものである。成功する接木接合のためには、台木及び接ぎ穂の維管束形成層が密着しているべきであり、台木及び接ぎ穂からの混在するカルスが形成されることを特筆する。
【０１０６】
[134]  本明細書で用いられる際、用語「台木」は、以後本明細書において用いられる際、その植物の茎及び／又は地下の部分若しくは根系を含み、その上に接ぎ穂、切穂又は芽が接木されることが意図されている植物の一部を指す。一部の態様によれば、それは、根茎又は茎を指し得る。台木は、一般に、土壌との相互作用、新しい植物を支持するための根及び茎の提供、土壌からの水及び鉱質の獲得、並びに関連する有害生物、疾患及び／又は他のストレスに対する抵抗性又は耐性、例えば熱及び塩耐性の提供を含むその特徴に関して選択される。
【０１０７】
[135]  さらに、台木がその根付き特性、その疾患抵抗性に関して、そしてそれが接木された植物に与えることができる活力に関して、当業者により選択されることができることは、範囲内である。１つの態様によれば、本発明の植物の台木は、カリブラコア属の接ぎ穂とのその適合性特徴により選択されることができる。ある態様では、台木は、ナス科に、より詳細にはペチュニア属に属する。
【０１０８】
[136]  用語「接ぎ穂」は、以後本明細書において用いられる際、台木上に接木された植物の部分を指す。接ぎ穂は、通常は別の植物の茎部分又は地上部（枝、葉、花、果実）を含む。接ぎ穂は、その特性、例えば光合成活性及び果実又は装飾的特性に関して選択される。
【０１０９】
[137]  用語「正常な発達」は、以後本明細書において用いられる際、接木された接ぎ穂の生長パラメーターを指す。接木されたカリブラコア属の接ぎ穂の生長及び発達は、それを接木手順を受けていない対応するカリブラコア属の植物（同じ種又は同じ繁殖材料源）、すなわち接木されていない対応するカリブラコア属の植物の生長及び発達と比較することにより評価されることは、本発明の範囲内である。接木プロセスが成功し、接ぎ穂及び台木の間の適合性の成功を達成した場合、接ぎ穂の発達（例えば花の密度及び白化の非存在の点で）は、対応する接木されていない植物の発達に類似しており；ある場合において、接木された植物の発達は、対応する接木されていない植物と比較して高められている。
【０１１０】
[138]  用語「源植物」又は「母本」は、本明細書において、切穂の「収穫物」を生成するための台木上への接ぎ穂の最初の接木として定義されている。従って、典型的には、源植物は、その後将来の接木のために用いられる、又は直接それら自身の根系上で生長する大量の強健な切穂を提供するべきである。さらに、用語「母株」又は「源植物」又は「母本」は、所望の品種の特定の遺伝的内容を実質的に維持し、繁殖段階の間の遺伝子型における変化を回避することを可能にする植物性繁殖の一般的なプロセスを指す。ある側面において、それは、向上した母本を作り出すための接木技術の使用を指す。
【０１１１】
[139]  用語「適合性」は、以後本明細書において用いられる際、全ての他の要因及びパラメーター（技法、温度等）が順調であると仮定して、接木接合の成功又は均一な接着点の形成のための台木及び接ぎ穂の間の十分に近い遺伝的（分類学的）関係として定義されている。本明細書において、さらに、適合性に必要な「近縁性」の程度は、異なる分類群（種、属、及び科）により変動し得ることが提唱されている。
【０１１２】
[140]  本発明のある側面によれば、台木と接ぎ穂との適合性の特徴は、類似の茎又はシュートの直径、類似の生長パターン、分類学的類似性、遺伝的類似性、解剖学類似性、台木と接ぎ穂との均一な接着点の形成、顕著なカルスの非存在、茎からのサイドシュートの形成抑制、根付いているカルスからの新芽の形成抑制、太く木質の茎、対応する何も接木されていない対照植物に類似した接ぎ穂の正常な発達、及びそれらの組合せから成る群より選択される少なくとも１つの特徴を含むが、それらに限定されない。接木点における接ぎ穂からの新芽の発達は、正常な枝が発達している場合、望ましい特徴であることが、特筆される。
【０１１３】
[141]  さらに、用語「不適合」が、本明細書において接木接合の形成の（即時の、又は遅延した）失敗として定義されることができることは、本発明の範囲内である。接木の形成の不適合又は失敗は、台木及び接ぎ穂の間の不十分に近い遺伝的関係により、接木技法、台木及び接ぎ穂の間の代謝的、発達的及び／若しくは解剖学的違いにより引き起こされ得る細胞生理学的不寛容、台木及び接ぎ穂の間の機能的維管束連絡の形成の失敗、最適でない環境、又は接木の結果として導入される疾患、例えばウイルス性疾患により生じ得る。
【０１１４】
[142]  さらに、用語「即時の不適合」が、本明細書において接木接合の形成の欠如又は不完全な進行により解剖学的に特性付けられた接木の急速な死として定義されることは、範囲内である。正常な接木接合形成における早期の事象は、カルス形成及び繊維の形成を含み得る。
【０１１５】
[143]  用語「遅延した不適合」は、木質部、師部及び周皮の正常な形成を含む接木接合の変性が起こる前の数ヵ月間又はさらには数年間の接木された接ぎ穂の生存又は正常な生長を指す。
【０１１６】
[144]  用語「低い〜中程度の不適合」は、以後本明細書において、接木された植物の特徴を指し、ここで、接ぎ穂は台木との接木の後に発達し続ける。接ぎ穂の発達は、接木されていない対応する植物と比較してより低い速度である可能性があり、又は最小限の形態学的変化を発現する可能性がある。
【０１１７】
[145]  一般に、接ぎ穂及び選択された台木の間の不適合は、植物種、接木のタイプ並びに接木の前及び／又は後の環境条件により影響を受ける可能性がある。そのような条件は、カルスの生成に影響する温度、カルス橋中の細胞の拡大に影響する湿度、台木の生長パターン及びウイルス汚染、虫及び疾患を含み得る。
【０１１８】
[146]  接木接合の形成は、接ぎ穂（すなわちカリブラコア属の接ぎ穂）及び台木の間の新規に形成された成長点の領域の発達を必要とすることが、本明細書において認められている。一部の側面によれば、このプロセスは、以下の工程を含み得る：台木及び接ぎ穂の接着；接触面におけるカルスの増殖及びカルス橋の形成；並びに接木接触面にわたる維管束の分化。
【０１１９】
[147]  用語「生産量」は、本明細書において、一般に、通常の生長条件下での接木された植物の総計からの十分に発達した植物、台木及び接ぎ穂の％として定義されている。
[148]  用語「園芸的特徴」は、本明細書において用いられる際、一般に、園芸植物（本発明の文脈において特に観賞植物及び花植物）の生長に関する農業の側面を指す。それは、植物、特に観賞植物の生産、栽培、向上、保存、観賞的設計、構築、維持及び樹芸を含む。それは、さらに園芸産業由来の全ての（未加工の又は加工された）生産物を含む。
【０１２０】
[149]  それはさらに、植物の生長、収率、品質、観賞的設計、並びに虫、疾患及び環境的ストレスに対する抵抗性を向上させる目的での植物の繁殖及び栽培を含む。
[150]  用語「調整」は、本明細書において、一般に台木及び接ぎ穂の間の適合性並びに接木された植物の生長及び発達を向上させるために、生長した台木若しくは接ぎ穂又は接木された植物又はそれらの繁殖材料に対して試みられ、又は開発され、又は設計されて適用されてきた様々な処理を指す。
【０１２１】
[151]  用語「繁殖材料」又は「接木された繁殖材料」は、本明細書において、接木による新規の植物の作製のために用いられる原材料を指す。繁殖材料又は原材料は、接木された植物の生産に関して意図されている種子、全ての植物材料又は植物の生長力のある部分を包含する。そのような繁殖材料が、（１）根付いた接木された繁殖材料、例えば苗、及び（２）根付いていない接木された原材料又は繁殖材料、例えば根付いていない切穂を含むことは、本発明の文脈の範囲内である。根付いた、及び根付いていない繁殖材料は、栽培業者により、完成した接木されたカリブラコア属の生産物を生産及び開発するために用いられる。
【０１２２】
[152]  用語「苗」は、本明細書において、以下のメンバー：根付いた切穂、実生、接木された根付いた切穂、及び接木された実生を含む根付いた繁殖材料として定義されている。特定の態様では、苗は、活発な根系を有する小さい幼齢の植物を指す。上記で定義された苗は、容器、例えば植栽容器、ポット、プランター又は花壇に植えられて生長することができる。特定の側面によれば、それは上級の接木された繁殖材料と考えられ、又は、換言すると、それは、それらを収穫段階まで生長させる仕上げ業者、すなわち鉢植え植物製造業者、それらを畑若しくは商業的なプランター若しくは栽培場に植える栽培業者が用いる最も発達した接木された原材料と考えられる。苗製造業者は、苗をプラグトレイ中にある間に接木する可能性がある。
【０１２３】
[153]  用語「根付いていない繁殖材料」又は「根付いていない原材料」は、本明細書において、以下のメンバー：根付いていない切穂及び根付いていない接木された切穂を含むものとして定義されている。そのような根付いていない繁殖材料は、栽培容器に植えられて生長することができるが、大部分は根の発達のためにプラグトレイ中で生長し、その後仕上げ業者によりさらなる生長のためにポット又は植栽容器に植え替えられ、場合によりその後消費者に販売されるために小売り業者へと配達されることができることは、本発明の範囲内である。
【０１２４】
[154]  本発明は、苗又は根付いていない接木された原材料の形態の新規のカリブラコア属を接木された繁殖材料を提供し、それは、完成した植物を達成するために、栽培容器又は栽培場内のその最終的な位置に輸送される。
【０１２５】
[155]  用語「完成した植物」は、本明細書において、供給連鎖における後期、例えば最終使用者又は花屋への販売に適したその最終的な大きさ及び設計の接木された植物として定義されている。
【０１２６】
[156]  本明細書で用いられる用語「高い茎」は、園芸におけるその一般的な意味、すなわちその上端部上に「クラウン」を有する植物の細長い茎において理解されるべきである。植物のクラウンは、茎、葉、及び繁殖構造を含む植物の地上部分を指す。
【０１２７】
[157]  以後本明細書において用いられる用語「高い茎の接木されたカリブラコア属」は、５０ｃｍ以上、特に約１０ｃｍ〜３０ｃｍの茎の高さをもたらすように設計された予め決定された生長条件において生長した台木であって、その上にカリブラコア属の接ぎ穂が接木される台木を指す。結果として得られる接木されたカリブラコア属の植物は、比較的弱い根系を有しアルカリ性の周囲の状況の影響を受けやすい接木されていない通常のカリブラコア属の植物と比較して、その増進された茎の高さ、強健な生長及び強い根系により有利である。高い茎の接木されたカリブラコア属は、根付いた、若しくは根付いていない切穂から、又は実生から生成されることができ、その範囲内に高い茎の接木された繁殖材料又は原材料を含む。
【０１２８】
[158]  さらに、新規のカリブラコア属の高い茎の接木された繁殖材料又は原材料を提供することは、本発明の範囲内である。そのような高い茎の接木された繁殖材料は、（１）例えば根付いた切穂、実生、接木された根付いた切穂、及び接木された実生の形態の高い茎の接木された苗、並びに（２）例えば根付いていない切穂及び根付いていない接木された切穂の形態の高い茎の接木された根付いていない原材料を含む。
【０１２９】
[159]  高い茎の接木された苗及び高い茎の接木された根付いていない原材料を含む新規の繁殖材料が、本発明の接木法により生成されることは、さらなる態様に従い、本発明の１つの態様である。
【０１３０】
[160]  特定の側面において、本発明は、プラグトレイ中の繁殖材料生産物、例えば高い茎の接木された苗及び高い茎の接木された根付いていない原材料を提供する。
[161]  さらなる側面によれば、本発明は、接木されたカリブラコア属の根付いていない繁殖材料又は原材料のプラグを提供する。用語「プラグ」又は「プラグトレイ」は、園芸において一般に、通常はピート又はコンポスト支持体を充填されたトレイ中で生長した小さい大きさの実生又は切穂を指す。このタイプのプラグは、一般に野菜、観賞植物及び花壇用植物を商業的に栽培するために用いられることができる。プラグ植物は、容器、ポット又は庭又は畑中に植え替えられる準備ができた、根の発達のために小さい個々のセル中で栽培された根付いていない苗である。
【０１３１】
[162]  プラグトレイ中に挿入される、又はプラグトレイ中で根付かせるのに適合している根付いていない原材料の形態の接木されたカリブラコア属の繁殖材料及び根付いていない原材料の形態の高い茎の接木された繁殖材料を提供することは、本発明の文脈の範囲内である。根付いていない繁殖材料は、ポット又は栽培容器又は最終的な商業的なプランター中に（例えば仕上げ業者により）植え替えられるまでプラグトレイ中で頑強に、直立して、そして安定して生長するのに適合している。
【０１３２】
[163]  用語「頑強に生長した」又は「頑強性」は、本発明の文脈において用いられる際、特定の観賞用の低木及び木に関する強い背の高い茎又は幹の提供を指す。一般に、これらの場合において、接木は、強い茎を有する母株上で所望の高さにおいてなされる。これは、植物、通常は低木状若しくは低木に似た生長習性を有する観賞植物又は観賞用樹木を高い茎の上で栽培して新規の組合せを生成するために用いられる。
【０１３３】
[164]  用語「切穂（単数又は複数）」は、本明細書で用いられる際、生長力のある、又は無性の繁殖する植物材料を指す。植物の切穂は、生長力のある（無性生殖的に）繁殖する植物に関して、源植物の茎、葉又は根の断片が適切な媒体、例えば湿った土壌、鉢植え用混合物（potting mix）、コイア又は岩綿中に配置される技法により用いられる。切穂は、新しい根、茎、又は両方を生成し、そうして親又は源植物と独立した新しい植物になる。植物の切穂の技法は、ストライキング（strikinｇ）又はクローニング技法としても知られている。本発明の文脈において、用語「切穂（単数又は複数）」は、根付いた切穂、根付いていない切穂、接木された根付いた切穂及び接木された根付いていない切穂を含む。
【０１３４】
[165]  用語「根付いていない切穂」は、根を有さず、プラグトレイ媒体（土壌）中に挿入されてそこで根付かなければならない切穂を指す。
[166]  用語「実生」は、本明細書で用いられる際、種子から発達している苗を指し、実生及び接木された実生を含む。
【０１３５】
[167]  本発明の文脈において、用語「品種（単数又は複数）」は、農産業における通常の呼称単位に対応し、他の既存の植物とは異なる所与の植物学的分類群の植物に対応し、それは均一かつ安定である。
【０１３６】
[168]  以後本明細書において用いられる用語「通常のカリブラコア属の植物」は、カリブラコア属のその天然の生長形態における接木されていない（ungrafted or non-grafted）植物を指す。この用語は、用語「通常の植物」及び「対応する接木されていない植物」又は「対応する接木されていない対照植物」も包含する。
【０１３７】
[169]  以後本明細書において用いられる用語「暗中退色した植物」又は「暗中退色している植物」は、光の部分的又は完全な非存在下で生長した顕花植物を指す。これらの植物は、一般に細長い茎；より長い節間部、従って通常は茎の単位長あたりより少ない葉及び淡黄色（白化）により特性付けられる。１つの態様によれば、本発明の選択された台木植物は、暗中退色した植物の生成を増進する低照射条件下で生長する。
【０１３８】
[170]  １つの態様によれば、本発明は、驚くべきことに、接木されたカリブラコア属の植物を初めて提供する。接木された植物は、選択された台木上に接木されたカリブラコア属の接ぎ穂を含む。好ましい態様では、選択された台木は、カリブラコア属の接ぎ穂と適合性である。
【０１３９】
[171]  さらなる態様によれば、本発明に従う接木された植物は、カリブラコア属の接ぎ穂を、適合性の台木を（それらが接木能力の点で適合性であり、かつ選択された台木が、予め決定された望ましい特徴、例えば強い根系、強健な生長、少なくとも１種類の生物的及び／若しくは非生物的ストレスに対する耐性並びに／又は増進された茎の高さを提供するならば）用いて接木することにより得られる。
【０１４０】
[172]  本発明のカリブラコア属の接木された植物は、以下のメンバー：苗、すなわち根付いた切穂、実生、接木された根付いた切穂、及び接木された実生を含む繁殖材料若しくは原材料に、又は以下のメンバー：根付いていない切穂及び接木された根付いていない切穂を含む根付いていない繁殖材料若しくは原材料に由来することができる。従って、本発明は、高い茎の接木されたカリブラコア属を含む接木されたカリブラコア属の植物を生成するために有用な、根付いた切穂、根付いていない切穂、実生、接木された根付いた切穂、接木された根付いていない切穂及び接木された実生を含む、苗又は他の繁殖材料若しくは原材料を提供する。
【０１４１】
[173]  特定の態様では、台木は、ナス属、トウガラシ属、ペチュニア属及びカリブラコア属を含む群から選択されることができる。
[174]  本発明は、さらに、２つの異なる種又は品種に属する少なくとも２つの異なる接ぎ穂を接木された台木を含む植物を包含する。
【０１４２】
[175]  本発明は、本明細書で記載された例に限定されるのではなく、それは、あらゆる種類の適合可能な台木と共に、そしてあらゆる種類の接木法に関して考慮されるべきである。従って、本発明は、様々な方法で実施される他の態様が可能である。
【０１４３】
[176]  １つの態様では、本発明は、同じ科内の属間での接木のための手段及び方法を開示する。
[177]  さらなる態様によれば、本発明は、１つの属内の種間での接木のための手段及び方法を開示する。
【０１４４】
[178]  さらに好ましい態様では、カリブラコア属の接ぎ穂を接木されるべき選択された台木は、ナス科の品種又は栽培品種である。
[179]  従って、本発明に従う接木された植物は、ナス科の台木の品種又は栽培品種を含むことができる。これらの台木の品種又は栽培品種は、ナス科のあらゆるタイプのものであることができ、ただし、それらはカリブラコア属の接ぎ穂との接木に適合している。
【０１４５】
[180]  さらなる態様では、本発明に従う植物は、適合性の台木上に接木された少なくとも２つの接ぎ穂を含む。
[181]  さらなる態様では、本発明は、接木されたカリブラコア属の植物を提供する。前記の植物は、カリブラコア属の接ぎ穂を接木された台木を含む。
【０１４６】
[182]  さらに、台木がカリブラコア属の接ぎ穂と適合性であることは、範囲内である。
[183]  本発明の別の態様によれば、前記の植物は、根付いた切穂、根付いていない切穂、実生、接木された根付いた切穂、接木された根付いていない切穂及び接木された実生から成る群より選択される苗又は他の原材料の形態の繁殖材料に由来する。
【０１４７】
[184]  本発明の特定の側面によれば、上記のいずれかにおいて定義された植物は、苗及び根付いていない原材料から成る群より選択される繁殖材料に由来する。
[185]  本発明のさらなる側面によれば、そのような苗は、根付いた切穂、実生、接木された根付いた切穂、及び接木された実生から成る群より選択される。
【０１４８】
[186]  本発明のさらなる側面によれば、根付いていない原材料は、根付いていない切穂及び根付いていない接木された切穂から成る群より選択される。
[187]  本発明のさらなる側面によれば、根付いていない原材料は、プラグトレイにおける挿入及び生長に適合している。
【０１４９】
[188]  本発明の別の態様は、上記で定義された繁殖材料又は苗又は原材料由来の完成した植物の提供である。
[189]  本発明の別の態様によれば、前記の台木は、種子、根付いた切穂、根付いていない切穂、実生、接木された根付いた切穂、接木された根付いていない切穂及び接木された実生から成る群より選択される繁殖材料に由来する。
【０１５０】
[190]  本発明の別の態様によれば、台木は、ナス科に属する。
[191]  本発明の別の態様によれば、台木は、ヤコウカ亜科、ゴエツエオイデアエ亜科（Goetzeoideae）、タバコ亜科、ペチュニア亜科、ムレゴチョウ亜科、シュウェンキオイデアエ亜科（Schwenckioideae）及びナス亜科から成る群より選択される。
【０１５１】
[192]  本発明の別の態様によれば、台木は、ナス属、トウガラシ属、ペチュニア属及びカリブラコア属から成る群より選択される。
[193]  本発明の別の態様によれば、台木は、ペチュニア・アルピコラ、Ｐ．アルティプラナ、Ｐ．アキシラリス、Ｐ．バジェーンシス、Ｐ．ボンジャージネンシス、Ｐ．エクスセルタ、Ｐ．グアラプアベンシス、Ｐ．ヘリアンセモイデス、Ｐ．フミフーサ、Ｐ．インフラータ、Ｐ．インテグリフォリア、Ｐ．インテリア、Ｐ．レディフォリア、Ｐ．リットラリス、Ｐ．マンチクエイレンシス、Ｐ．オクシデンタリス、Ｐ．パルビフローラ、Ｐ．パタゴニカ、Ｐ．プベスセンス、Ｐ．レイツィー、Ｐ．リオグランデンシス、Ｐ．サクシコーラ、Ｐ．シェイデアーナ、Ｐ．バリアビリス、Ｐ．ビラディアーナ、Ｐ．ｘ  アトキンシアナ及びＰ．ハイブリダ種から成る群より選択される。
【０１５２】
[194]  台木が、カリブラコア・カエシア、カリブラコア・カリシナ、カリブラコア・デュセニイ、カリブラコア・エグランデュラータ、カリブラコア・エレガンス、カリブラコア・エリシフォリア、カリブラコア・エクセレンス、カリブラコア・ハスレリアナ、カリブラコア・ヘテロフィラ、カリブラコア・フミリス、カリブラコア・リネアリス、カリブラコア・パルビフローラ、カリブラコア・ピグマエア、カリブラコア・ルペストリス、カリブラコア・セロウィアナ、カリブラコア・スパスラタ及びカリブラコア・ティミフォリア、カリブラコア  ｘ  ハイブリダ及びペトコア種から成る群より選択されることは、なお範囲内である。
【０１５３】
[195]  台木が、リコペルシカム、ツベロスム及びメロンゲナ種から成る群より選択されることは、なお範囲内である。
[196]  本発明の別の態様によれば、接ぎ穂は、種子、根付いた切穂、根付いていない切穂、実生、接木された根付いた切穂、接木された根付いていない切穂及び接木された実生に由来する。
【０１５４】
[197]  本発明の別の態様によれば、接ぎ穂は、カリブラコア属のものである。
[198]  さらに、接ぎ穂が、カリブラコア・カエシア、カリブラコア・カリシナ、カリブラコア・デュセニイ、カリブラコア・エグランデュラータ、カリブラコア・エレガンス、カリブラコア・エリシフォリア、カリブラコア・エクセレンス、カリブラコア・ハスレリアナ、カリブラコア・ヘテロフィラ、カリブラコア・フミリス、カリブラコア・リネアリス、カリブラコア・パルビフローラ、カリブラコア・ピグマエア、カリブラコア・ルペストリス、カリブラコア・セロウィアナ、カリブラコア・スパスラタ及びカリブラコア・ティミフォリア種から成る群より選択されることは、範囲内である。
【０１５５】
[199]  本発明の別の態様によれば、台木は、接ぎ穂との少なくとも１つの適合可能な特徴を有する。
[200]  さらに、接木段階まで生長したそれぞれの台木の属又は種に関して独特の生長プロトコルが設計及び実施されていることは、範囲内である。生長プロトコルは、予め決定された灌漑間隔、予め決定された照明及び遮光レベル、温度、ｐＨ、相対湿度、電気伝導度及び予め決定された施肥レベルのようなパラメーターを含む。
【０１５６】
[201]  本発明の別の態様によれば、少なくとも１つの適合可能な特徴は、胚軸の長さ、茎直径、節の数、節間部の長さ、生長パターン、分類学的類似性、遺伝的類似性、解剖学的類似性及びそれらの組合せから成る群より選択される。
【０１５７】
[202]  本発明の別の態様によれば、台木は、望ましい農学的特徴を有する。
[203]  本発明の別の態様によれば、望ましい農学的特徴は、強い根系、増進された茎の高さ、草勢、ストレス耐性、疾患抵抗性、病原体に対する抵抗性、虫の外寄生に対する抵抗性、非生物的ストレスに対する抵抗性及びそれらの組合せから成る群より選択される。
【０１５８】
[204]  本発明の別の態様によれば、接木されたカリブラコア属の植物は、通常の接木されていないカリブラコア属の植物と比較して、増進された高さ又は高い茎の植物、強い根系、生物的ストレスに対する耐性、非生物的ストレスに対する耐性、均一性、低減した葉の黄変、頑健な生長、増進された花序収率、植物繁殖材料の増進された収率、増進された地上部の収率、１より多くのカリブラコア属の種又は品種の１つの植物上での組合せ、及びそれらの組合せから成る群より選択される望ましい観賞的及び／又は農学的特徴を有する。
【０１５９】
[205]  本発明の別の態様によれば、ストレス耐性は、低温耐性、高温耐性、水がれ耐性、塩耐性、ｐＨ耐性及びそれらの組合せから成る群より選択される非生物的ストレス耐性を含む。
【０１６０】
[206]  本発明の別の態様によれば、ストレス耐性は、疾患抵抗性、虫抵抗性、及び線虫抵抗性、土壌伝播性病原体に対する向上した抵抗性並びにそれらの組合せから成る群より選択される生物的ストレス耐性を含む。
【０１６１】
[207]  本発明の別の態様によれば、前記の接ぎ穂は、前記の台木上に５０ｃｍまでの高さで接木される。
[208]  本発明の別の態様によれば、前記の台木は、少なくとも２つの異なる接ぎ穂を接木され、前記の接ぎ穂は、異なる品種に属し、かつ前記の台木と適合性である。
【０１６２】
[209]  本発明の別の態様によれば、前記の異なる接ぎ穂は、花序の色、果実の形状、生長パターン及びそれらの組合せから成る群より選択される少なくとも１つの異なる特徴を有する。
【０１６３】
[210]  本発明の別の態様によれば、前記の接木されたカリブラコア属の植物は、接木されていないカリブラコア属の植物と比較して、増進された高さ又は高い茎の植物、強い根系、生物的ストレスに対する耐性、非生物的ストレスに対する耐性、均一性、低減した葉の黄変、頑健な生長、増進された花序収率、切穂のような植物繁殖材料の増進された収率、増進された地上部の収率、１より多くのカリブラコア属の種又は品種の１つの植物上での組合せ及びそれらの組合せから成る群より選択される望ましい観賞的及び／又は農学的特徴を有する。
【０１６４】
[211]  本発明の別の態様によれば、前記の植物は、最終的な商業的なプランター又はポット又は他の栽培容器に植えられる。
[212]  本発明の別の態様によれば、前記の最終的な商業的なプランター又はポット又は他の栽培容器は、１リットル以下のポットの大きさを有する。
【０１６５】
[213]  本発明の別の態様によれば、前記の最終的な商業的なプランター又はポット又は他の栽培容器は、１リットル以上のポットの大きさを有する。
[214]  本発明の別の態様によれば、前記の植物は、ポット中に植えられている際に直立安定性及び頑強性に適合している高い茎の接木されたカリブラコア属である。
【０１６６】
[215]  本発明の別の態様によれば、前記の植物は、根付いた切穂、根付いていない切穂、実生、接木された根付いた切穂、接木された根付いていない切穂及び接木された実生から成る群より選択される繁殖材料又は苗又は原材料に由来する。
【０１６７】
[216]  本発明の別の態様によれば、前記の苗は、プラグトレイ中に植えられた際に、直立安定性及び／又は頑強性に適合している。
[217]  本発明の別の態様によれば、前記の植物は、高い茎の接木された苗及び根付いていない高い茎の接木された原材料から成る群より選択される繁殖材料に由来する。
【０１６８】
[218]  本発明の別の態様によれば、前記の高い茎の苗は、根付いた切穂、実生、接木された根付いた切穂、及び接木された実生から成る群より選択される。
[219]  本発明の別の態様によれば、前記の高い茎の根付いていない原材料は、根付いていない切穂及び根付いていない接木された切穂から成る群より選択される。
【０１６９】
[220]  本発明の別の態様によれば、前記の高い茎の根付いていない原材料は、プラグトレイ中に植えられた際に、直立安定性及び／又は頑強性に適合している。
[221]  上記のいずれかにおいて定義された繁殖材料由来の完成した植物を提供することは、本発明の別の態様に従う。
【０１７０】
[222]  本発明の別の態様によれば、完成した植物は、ポット又は植栽容器に植えられた際に、直立安定性及び／又は頑強性に適合している。
[223]  上記のいずれかにおいて定義された高い茎の接木されたカリブラコア属の切穂又は根付いていない切穂、接木された切穂又は接木された根付いていない切穂を提供することは、本発明の別の態様に従う。
【０１７１】
[224]  上記のいずれかにおいて定義された植物の部分を提供することは、本発明の別の態様に従う。
[225]  本発明の別の態様によれば、前記の植物の部分は、その植物の接木された切穂、根付いていない接木された切穂、花及び他の生長力のある部分又は繁殖部分から成る群より選択される。
【０１７２】
[226]  本発明のさらなる側面によれば、接木されたカリブラコア属の植物又は苗の生産は、商業的に価値のあるカリブラコア属の植物の設計及び生産物の拡大及び多様化した範囲を含む新規の市場向きの生産物の提供を可能にする。本発明の接木されたカリブラコア属の植物は、独特、新規かつ商業的に望ましい観賞的設計及び組合せに関する重要な付加価値を有し、それは、驚くべきことに、カリブラコア属の植物の本来備わる望ましくない特徴（例えば蛇行する生長パターン、弱い根系、乏しい草勢、熱、アルカリ性及び塩に対する感受性等）を克服する。
【０１７３】
[227]  さらなる側面によれば、本発明の接木されたカリブラコア属の植物は、それらの収率、生産性及び費用便益比に関して有利である。カリブラコア属を予め決定された台木上に接木することにより、増進された草勢を有するカリブラコア属の植物の提供が、生長力のある切穂のそれが由来したカリブラコア属の植物と比較して有意により高い収率が接木された植物からもたらされ得るように、達成される。従って、接木された植物は、所望の親植物の正確なコピーへと生長する繁殖した植物材料の高い収率を与えることができる。従って、カリブラコア属を向上した草勢特徴を有する選択された台木上に接木することにより、有用かつ望ましいカリブラコア属の切穂、繁殖材料及び苗の生産における効率が高められ、生産コストが低減する。
【０１７４】
[228]  さらなる側面によれば、本発明は、上記のいずれかにおいて定義された植物の接木された繁殖材料を提供し、ここで、前記の繁殖材料は、接木された苗、接木された根付いた切穂、接木された根付いていない切穂、接木された実生、高い茎の接木された苗及び高い茎の接木された根付いていない切穂から成る群より選択される。
【０１７５】
[229]  本発明はさらに、カリブラコア属を接木された植物を生産するための方法を提供する。前記の方法は、以下の工程：（ａ）カリブラコア属の接ぎ穂を提供し；（ｂ）前記のカリブラコア属の接ぎ穂との適合性を有する台木を選択し；（ｃ）前記の台木を、前記の接ぎ穂上への接木に適した生長特徴を有するように農業技術的（agrotechnical）条件下で生長させ；そして（ｄ）前記の接ぎ穂を、接木されたカリブラコア属の植物をもたらすように前記の台木上に接木する；を含む。
【０１７６】
[230]  さらに、上記の方法であって、さらに、前記のカリブラコア属を接木された植物を提供するために、根付いた切穂、根付いていない切穂、実生、接木された根付いた切穂、接木された根付いていない切穂及び接木された実生から成る群より選択される繁殖材料又は苗又は原材料を予め決定された生長条件において生長させる工程を含む方法を提供する。
【０１７７】
[231]  さらに、上記の方法であって、さらに、前記のカリブラコア属を接木された植物を提供するために、苗及び根付いていない原材料から成る群より選択される繁殖材料を生成し、予め決定された生長条件で生長させる工程を含む方法を提供することは、範囲内である。
【０１７８】
[232]  さらに、上記の方法であって、さらに、前記の苗を、根付いた切穂、実生、接木された根付いた切穂、及び接木された実生から成る群より選択する工程を含む方法を提供することは、範囲内である。
【０１７９】
[233]  さらに、上記の方法であって、さらに、前記の根付いていない原材料を、根付いていない切穂及び根付いていない接木された切穂から成る群より選択する工程を含む方法を提供することは、範囲内である。
【０１８０】
[234]  さらに、上記の方法であって、さらに、前記の根付いていない原材料をプラグトレイにおいて生長させる工程を含む方法を提供することは、範囲内である。
[235]  さらに、上記の方法であって、さらに、前記の繁殖材料又は苗又は原材料を、完成した植物を生成するように生長させる工程を含む方法を提供することは、範囲内である。
【０１８１】
[236]  さらに、上記の方法であって、さらに、前記の台木の根付いた切穂、根付いていない切穂、実生、接木された根付いた切穂、接木された根付いていない切穂及び接木された実生から成る群より選択される繁殖材料又は苗又は原材料を、前記の接ぎ穂との接木に適しているように、予め決定された生長条件において生長させる工程を含む方法を提供することは、範囲内である。
【０１８２】
[237]  さらに、上記の方法であって、さらに、前記の接ぎ穂の根付いた切穂、根付いていない切穂、実生、接木された根付いた切穂、接木された根付いていない切穂及び接木された実生から成る群より選択される繁殖材料又は苗又は原材料を、前記の台木との接木に適しているように、予め決定された生長条件において生長させる工程を含む方法を提供することは、範囲内である。
【０１８３】
[238]  さらに、上記の方法であって、生長した台木植物の密度を面積あたりの植物の数を制御することにより調節する追加の工程を含む方法を提供することは、範囲内である。
【０１８４】
[239]  さらに、上記の方法であって、大きさ、セルの形状、材料、密度及びそれらの組合せから成る群より選択されるパラメーターにより適切な生長トレイを選択する追加の工程を含む方法を提供することは、範囲内である。
【０１８５】
[240]  さらに、上記の方法であって、暗中退色した台木植物を得るために制御された低照射計画を適用する追加の工程を含む方法を提供することは、範囲内である。
[241]  さらに、上記の方法であって、生長した台木植物の開花タイミングを植物の光周期反応に影響を及ぼすことにより制御する追加の工程を含む方法を提供することは、範囲内である。
【０１８６】
[242]  さらに、上記の方法であって、生長した台木を支持し、形を整えるためのトレーリング及び安定化手段を用いる追加の工程を含む方法を提供することは、範囲内である。
【０１８７】
[243]  さらに、上記の方法であって、棒、クリップ、花の切り取り、トレーリングネット、プラスチックトレーフレーム及びそれらの組合せから成る群より選択されるトレーリング及び安定化手段を用いる追加の工程を含む方法を提供することは、範囲内である。
【０１８８】
[244]  さらに、上記の方法であって、選択された台木植物を、温度、相対湿度、電気伝導度、照明レベル、遮光レベル、ｐＨ、灌漑間隔、施肥溶液及び計画並びにそれらの組合せから成る群より選択される制御パラメーターにより予め決定されたプロトコルで生長させる追加の工程を含む方法を提供することは、範囲内である。
【０１８９】
[245]  さらに、上記の方法であって、農薬ベースの処理、除草剤処理、殺虫剤処理、殺真菌剤処理、生物学的害虫制御処理及びそれらの組合せから成る群より選択される植物保護処理を適用する追加の工程を含む方法を提供することは、範囲内である。
【０１９０】
[246]  さらに、上記の方法であって、台木生産のために生長させるべき植物繁殖材料の少なくとも１つの特性を調和させる追加の工程を含み、前記の少なくとも１つの特性が、根系の発達、胚軸の大きさ、胚軸の長さ、茎の直径、節の数、節間部の長さ及びそれらの組合せから成る群より選択される方法を提供することは、範囲内である。
【０１９１】
[247]  さらに、本発明の台木植物繁殖材料が、根系の発達特性、例えば発達速度、発達に関する条件、根系の大きさ、機能性及び根付きの生産量に関して調整及び選択されることは、範囲内である。
【０１９２】
[248]  さらに、上記の方法であって、温度、湿度、水分、ｐＨ、照明、遮光及びそれらの組合せから成る群より選択される少なくとも１つの農業技術的又は環境的パラメーターを制御することにより、前記の接ぎ穂及び前記の台木の間の接着を増進して接木接合を形成する工程を含む方法を提供することは、範囲内である。
【０１９３】
[249]  さらに、上記のいずれかにおいて記載された方法であって、前記のカリブラコア属の接ぎ穂の根付いた切穂又は根付いていない切穂を、前記の台木上への接木に適した前記のカリブラコア属の接ぎ穂を提供するように予め決定された生長条件において生長させる追加の工程を含む方法を提供することは、範囲内である。
【０１９４】
[250]  さらに、上記のいずれかにおいて記載された方法であって、前記の台木の種子、実生、根付いた切穂又は根付いていない切穂を、前記の接ぎ穂との接木に適しているように予め決定された生長条件で生長させる追加の工程を含む方法を提供することは、範囲内である。
【０１９５】
[251]  さらに、上記のいずれかにおいて記載された方法であって、前記の台木を５０ｃｍまでの予め決定された高さまで生長させる追加の工程を含む方法を提供することは、範囲内である。
【０１９６】
[252]  さらに、上記のいずれかにおいて記載された方法であって、前記の台木を、灌漑間隔、施肥溶液及び計画、照明及び遮光計画並びにそれらの組合せから成る群より選択される予め決定された生長条件において生長させる追加の工程を含む方法を提供することは、範囲内である。
【０１９７】
[253]  さらに、上記のいずれかにおいて記載された方法であって、前記の台木植物の生長を前記の接ぎ穂との接木に適した生長特徴を有するように操作する追加の工程を含み、前記の生長特徴が、茎の直径、茎の高さ、生長パターン及びそれらの組合せから成る群より選択される方法を提供することは、範囲内である。
【０１９８】
[254]  さらに、上記のいずれかにおいて記載された方法であって、さらに、前記の台木植物の生長を前記の接ぎ穂との接木に適した生長特徴を達成するように操作し、調和させる工程を含み、前記の生長特徴が、胚軸の大きさ、胚軸の長さ、茎の直径、節の数、節の長さ、茎の直径、茎の高さ、生長パターン、開花時間及びそれらの組合せから成る群より選択される方法を提供することは、範囲内である。
【０１９９】
[255]  さらに、上記のいずれかにおいて記載された方法であって、前記の接ぎ穂を前記の台木上に、合わせ接ぎ、芽接ぎ、割り接ぎ、腹接ぎ、寄接ぎ、穴差込接ぎ、一子葉接ぎ、舌接ぎ、切り株接ぎ、４フラップ接ぎ、突き錐接ぎ、切接ぎから成る群より選択される接木技法により、並びに草本植物を接木するのに適した他の接木技法及びそれらの組合せにより接木する追加の工程を含む方法を提供することは、範囲内である。
【０２００】
[256]  さらに、上記のいずれかにおいて記載された方法であって、前記の接ぎ穂を前記の台木上に割り接ぎにより接木する追加の工程を含む方法を提供することは、範囲内である。
【０２０１】
[257]  さらに、上記のいずれかにおいて記載された方法であって、前記の接木された植物を最終的な商業的なプランター又はポット又は他の栽培容器に植える追加の工程を含む方法を提供することは、範囲内である。
【０２０２】
[258]  さらに、上記のいずれかにおいて記載された方法であって、前記の接木された植物を１リットル以下のポットの大きさを有する最終的な商業的なプランター又はポット又は他の栽培容器に植える追加の工程を含む方法を提供することは、範囲内である。
【０２０３】
[259]  さらに、上記のいずれかにおいて記載された方法であって、前記の接木された植物を１リットル以上のポットの大きさを有する最終的な商業的なプランター又はポット又は他の栽培容器に植える追加の工程を含む方法を提供することは、範囲内である。
【０２０４】
[260]  さらに、上記のいずれかにおいて記載された方法であって、さらに、接木されていないカリブラコア属の植物と比較して増進された高さ又は高い茎の植物、強い根系、生物的ストレスに対する耐性、非生物的ストレスに対する耐性、均一性、低減した葉の黄変、頑健な生長、増進された花序収率、切穂のような植物繁殖材料の増進された収率、増進された地上部の収率、１より多くのカリブラコア属の種又は品種の１つの植物上での組合せ及びそれらの組合せから成る群より選択される望ましい観賞的及び／又は農学的特徴を有する接木されたカリブラコア属の植物を生成する工程を含む方法を提供することは、範囲内である。
【０２０５】
[261]  さらに、上記のいずれかにおいて記載された方法であって、さらに、高い茎の接木されたカリブラコア属を生成する工程を含む方法を提供することは、範囲内である。
[262]  さらに、上記のいずれかにおいて記載された方法であって、さらに、台木を少なくとも約１０ｃｍの予め決定された高さ及び予め決定された茎直径まで生長させ、カリブラコア属の接ぎ穂を前記の台木上に前記の予め決定された高さにおいて接木する工程を含む方法を提供することは、範囲内である。
【０２０６】
[263]  さらに、上記のいずれかにおいて記載された方法であって、さらに、根付いた切穂、根付いていない切穂、実生、接木された根付いた切穂、接木された根付いていない切穂及び根付いた実生から成る群より選択される繁殖材料又は苗又は原材料を生成し、前記の高い茎の接木されたカリブラコア属の植物を提供するように予め決定された生長条件において生長させる工程を含む方法を提供することは、範囲内である。
【０２０７】
[264]  さらに、上記のいずれかにおいて記載された方法であって、さらに、前記の高い茎の接木されたカリブラコア属の苗をプラグトレイ中に植える工程を含む方法を提供することは、範囲内である。
【０２０８】
[265]  さらに、上記のいずれかにおいて記載された方法であって、根付いていない繁殖材料又は原材料が、プラグトレイ中に植えられた際に、直立安定性及び／又は頑強性に適合している方法を提供することは、範囲内である。
【０２０９】
[266]  さらに、上記のいずれかにおいて記載された方法であって、さらに、高い茎の苗及び根付いていない高い茎の原材料から成る群より選択される繁殖材料を生成し、前記のカリブラコア属の高い茎の接ぎ木された植物を提供するように予め決定された生長条件において生長させる工程を含む方法を提供することは、範囲内である。
【０２１０】
[267]  さらに、上記のいずれかにおいて記載された方法であって、さらに、前記の高い茎の苗を、根付いた高い茎の切穂、高い茎の実生、接ぎ木された高い茎の根付いた切穂、及び接木された高い茎の実生から成る群より選択する工程を含む方法を提供することは、範囲内である。
【０２１１】
[268]  さらに、上記のいずれかにおいて記載された方法であって、さらに、前記の高い茎の根付いていない原材料を、根付いていない高い茎の切穂及び根付いていない高い茎の接木された切穂から成る群より選択する工程を含む方法を提供することは、範囲内である。
【０２１２】
[269]  さらに、上記のいずれかにおいて記載された方法であって、さらに、前記の高い茎の根付いていない高い茎の原材料をプラグトレイ中に植える工程を含む方法を提供することは、範囲内である。
【０２１３】
[270]  さらに、上記のいずれかにおいて記載された方法であって、さらに、直立安定性及び／又は頑強性を有する前記の高い茎の根付いていない高い茎の原材料をプラグトレイ中で生長させる工程を含む方法を提供することは、範囲内である。
【０２１４】
[271]  さらに、上記のいずれかにおいて記載された方法であって、さらに、前記の繁殖材料を、完成した高い茎の接木されたカリブラコア属の植物を生成するように生長させる工程を含む方法を提供することは、範囲内である。
【０２１５】
[272]  さらに、上記のいずれかにおいて定義された方法により生成された植物の部分を提供することは、範囲内である。
[273]  さらに、上記のいずれかにおいて記載された方法であって、前記の植物の部分が、上記のいずれかにおいて定義された植物の根付いた切穂、根付いていない切穂、接木された根付いた切穂及び接木された根付いていない切穂、花、並びに他の生長力のある部分又は繁殖部分から成る群より選択される方法を提供することは、範囲内である。
【０２１６】
[274]  さらに、上記のいずれかにおいて記載された方法により生成される植物の接木された繁殖材料であって、前記の繁殖材料が、接木された苗、接木された根付いた切穂、接木された根付いていない切穂、接木された実生、高い茎の接木された苗及び高い茎の接木された根付いていない切穂から成る群より選択される繁殖材料を提供することは、範囲内である。
【０２１７】
[275]  さらに、上記のいずれかにおいて記載された方法であって、前記の台木に少なくとも２つの異なる接ぎ穂を接木する追加の工程を含む方法を提供することは、範囲内である。
【０２１８】
[276]  さらに、上記のいずれかにおいて記載された方法であって、前記の台木に少なくとも２つの異なる接ぎ穂を接木する追加の工程を含み、前記の接ぎ穂が異なる品種に属し、かつ前記の台木と適合性である方法を提供することは、範囲内である。
【０２１９】
[277]  さらに、上記のいずれかにおいて記載された方法であって、花序の色、果実の形状、生長パターン及びそれらの組合せから成る群より選択される少なくとも１つの異なる特徴を有する前記の異なる接ぎ穂を提供する追加の工程を含む方法を提供することは、範囲内である。
【０２２０】
[278]  本発明を理解するため、そしてどのようにそれが実際に実施され得るかを理解するため、複数の好ましい態様が、ここで以下の実施例を参照して限定的でない例としてのみ記載されるであろう。
【実施例】
【０２２１】
実施例１
高い茎の接木されたカリブラコア属の植物を生成するためのプロセス
[279]  １．植物繁殖材料の源に関するスクリーニング：
[280]  第１工程は、異なる種の種子及び／又は切穂繁殖材料を含む源材料を同定した。
【０２２２】
[281]  ナス科の異なる属の予備的スクリーニングは、台木及び接ぎ穂の種に関する遺伝的源材料として選択されたカリブラコア属及びペチュニア属の種を同定した。
[282]  カリブラコア属及びペチュニア属から、６つの品種が、それらの園芸的特性及び所望の接木された植物の最終生産物に関するそれらの潜在的適合性の評価に従って、さらなる試験のために選択された（表１参照）。
【０２２３】
【表１】
2017527315.tif 000003
【０２２４】
[283]  加えて、７０，０００の育種産物のスクリーニング並びに台木及び接ぎ穂のための源材料として用いられるための候補の選択が、実施された。表２に記載されている４つの台木候補が、さらなる試験のために選択された。
【０２２５】
【表２】
2017527315.tif 000004
【０２２６】
[284]  ２．接ぎ穂及び台木の接木のために用いられるための候補種に関するスクリーニング
[285]  カリブラコア属の種、すなわちｃｈａｍｅｌｅｏｎを接木された１０のペチュニア属の種の形態学的同定が、表３において示されているような以下のようなパラメーターに従って実施された：根付きの可能性、根付きの質、カルス形成、カルスからの新芽及び茎からのサイドシュートの発達。試験は、２回、台木あたり１０の複製物で実施された。
【０２２７】
[286]  異なる台木がスクリーニングされた望ましい品質は、以下の品質を含んでいた：根付きの最大限の可能性、最小限のカルスからの新芽の分化及び／又は最小限の茎からのサイドシュート、並びに最大限の茎の太さ及び節間部の伸び。
【０２２８】
【表３】
2017527315.tif 000005
【０２２９】
[287]  ここで、異なるペチュニア・サフィニアの台木（図１Ａ）並びに特に本発明において記載されている手段及び方法により生成された高い茎のペチュニア属の台木（図１Ｂ）の根付きの高い可能性を実証する写真での図説を示す図１を参照する。本発明において開示されるプロトコルが、望ましいカリブラコア属の接ぎ穂を接木するために用いられるべき（図１Ａにおいて図説されているような）根付きの高い可能性を有する（図１Ｂにおいて図説されているような）伸長された、又は伸展した台木を達成するために適合していることが、強調される。そのようなプロトコルは、最小限の茎からのサイドシュートを有する伸長された台木を生成するための特定の予め決定された施肥潅漑及び遮光計画を含む。
【０２３０】
[288]  ここで、ペチュニア属の台木上に接木されたカリブラコア属の種のカルス形成、根付き及び根付いているカルスからの新芽の生長の望ましくない現象の写真での図説を示す図２を参照する。
【０２３１】
[289]  ここで、ペチュニア属の台木上に接木されたカリブラコア属の種のカルスからの新芽の生長を実証する写真での図説を示す図３を参照する。
[290]  ここで、カリブラコア属の種であるＣｅｌｅｂｒａｔｉｏｎ（登録商標）ｙｅｌｌｏｗ  ｂａｎａｎａの接ぎ穂を接木された異なるペチュニア属の台木の幹の発達及び太さの写真での図説を示す図４を参照する。細い台木６０（すなわち約５ｍｍの茎直径）が、ペチュニア・サフィニアＹｅｌｌｏｗを台木として含む接木産物において図説されており、太い台木７０（すなわち約１０ｍｍの茎直径）が、ペチュニア属のＨａｐｐｙ  Ｇｉａｎｔ  Ｈｏｔ  ｐｉｎｋを台木として含む接木産物において図説されている。
【０２３２】
[291]  カルスからの最小限の新芽の分化及び／又は茎からの最小限のサイドシュート（それぞれ図２及び図３において示されている）により特性付けられ；そしてさらに、図４において実証されているような最大限の茎の太さ及び節間部の伸長により特性付けられる接木されたカリブラコア属の植物を生成、選択及びスクリーニングすることは、本発明の重要な側面であることが、特筆される。
【０２３３】
[292]  ３．所望の園芸生産物を達成するための異なる接ぎ穂及び台木の組合せの評価。
[293]  パラメーター及び結果が、表４において示されている。
【０２３４】
[294]  表４において：最大限の台木の太さは、直径１０ｍｍまでとして定義されており、中程度の台木の発達は、直径約６〜８ｍｍとして定義されており、十分又は良好な台木の発達は、低減したサイドシュート、約１０ｍｍより長い節間部及び約５ｍｍより大きい直径を含む特徴の組合せとして定義されており、そして中程度の茎のサイドシュート及びカルスからの新芽は、約５０％〜８０％の茎のサイドシュート及びカルスからの新芽の発達として定義されている。
【０２３５】
[295]  ２つのアプローチが、適合性及び接木を試験するために用いられてきた：
[296]  Ａ．台木及び接ぎ穂の間の適合性並びに接木の可能性のある生産量（生産量は、本明細書において一般に、通常の生長条件下での接木された植物の総計からの十分に発達した植物、台木及び接ぎ穂の％として定義されている）を評価するための、短い茎（４〜７ｃｍ）における接木。適合性に関する異なるレベルが同定され、それらの接木された生成物が評価された。
【０２３６】
[297]  Ｂ．高い茎の接木の実行可能性−物理的及び生理学的パラメーターを評価するための、長い茎（約１５〜１８ｃｍ）における接木。
[298]  実施されたさらなる工程は、異なる接木された産物の寿命の、接木された植物を保存してそれらをさらに１２ヵ月間まで生長させることによる試験である。
【０２３７】
【表４】
2017527315.tif 000006
【０２３８】
[299]  ４．接木プロセスの産物：２種類の台木及び４種類の接ぎ穂が同定され、商業的なプロトコルの使用に適した例として選択された。
[300]  ペチュニア属の種‘Ｈａｐｐｙ  ｇｉａｎｔ’のモデル‘Ｈｏｔ  ｐｉｎｋ’は、台木として適していることが分かっている。その有利な特性は、以下のものを含む：一直線の幹の生成、木質であること、より少ない節及びカルス橋からの二次的なシュートの生長を有すること。この品種は、４種類の選択されたカリブラコア属の種の接ぎ穂、すなわち‘Ｃｈａｍｅｌｅｏｎ’のモデルＰｉｎｋ及びＰｕｒｐｌｅ並びにＣｅｌｅｂｒａｔｉｏｎ（登録商標）のモデルｍａｎｄａｒｉｎ及びｃｈｅｒｒｙを用いた接木に関して試験されている。
【０２３９】
[301]  ペチュニア・サフィニアのモデル‘Ｄａｒｋ  ｖｉｏｌｅｔ’も、本発明の範囲に十分に適していることが分かっている。それに、２種類の試験された接ぎ穂であるカリブラコア属の種‘Ｃｈａｍｅｌｅｏｎ’のモデルＰｉｎｋ又はＰｕｒｐｌｅが接木された。接木プロセスは、結果として望ましい台木をもたらし、それは、カルスからの新芽を一切伴わずに一直線かつ木質の幹へと発達した。接ぎ穂も、緑色及び密集した開花を伴って十分に発達した。
【０２４０】
[302]  台木であるペチュニア属の種‘Ｃｒａｚｙｔｕｎｉａ’のモデルＭａｎｄｅｖｉｌｌｅ及びＳｔｏｎｅ−ｗａｓ並びに接ぎ穂であるカリブラコア属の種‘Ｃｈａｍｅｌｅｏｎ’のモデルＰｉｎｋ及びＰｕｒｐｌｅの間で不適合が記録された。図５において図説されているように、これらの接木された植物は、十分に発達せず、それらの３０％がしおれた。
【０２４１】
[303]  ５．商業的開発及び評価
[304]  ５．１  例えばカリブラコア属の種‘ｃｈａｍｅｌｅｏｎ’系列を接ぎ穂として含む特定の最終使用者又は小売業者に適合したプロトタイプの開発。
【０２４２】
[305]  ５．２  市場の需要への適合の実施、例えば、台木の高さ及び接木された頭部の直径を変化させて、栽培ポットへの最適な当てはまりを提供する。
[306]  ５．３  接木された産物は、商業的な実験者に委ねられた；例えば：
[307]  Ａ．カリブラコア属の種の接ぎ穂‘Ｃｈａｍｅｌｅｏｎ’のモデルＰｉｎｋを接木されたペチュニア属の種‘Ｈａｐｐｙ  ｇｉａｎｔ’のモデル‘Ｈｏｔ  ｐｉｎｋ’；
[308]  Ｂ．カリブラコア属の種の接ぎ穂‘Ｃｈａｍｅｌｅｏｎ’のモデルＰｕｒｐｌｅを接木されたペチュニア属の種‘Ｈａｐｐｙ  ｇｉａｎｔ’のモデル‘Ｈｏｔ  ｐｉｎｋ’；
[309]  Ｃ．カリブラコア属の種の接ぎ穂Ｃｅｌｅｂｒａｔｉｏｎ（登録商標）のモデルｍａｎｄａｒｉｎを接木されたペチュニア属の種‘Ｈａｐｐｙ  ｇｉａｎｔ’のモデル‘Ｈｏｔ  ｐｉｎｋ’；
[310]  Ｄ．カリブラコア属の種の接ぎ穂Ｃｅｌｅｂｒａｔｉｏｎ（登録商標）のモデルｃｈｅｒｒｙを接木されたペチュニア属の種‘Ｈａｐｐｙ  ｇｉａｎｔ’のモデル‘Ｈｏｔ  ｐｉｎｋ’；及び
[311]  Ｅ．カリブラコア属の種‘Ｃｈａｍｅｌｅｏｎ’のモデルＰｕｒｐｌｅを接木されたペチュニア・サフィニアのモデル‘Ｄａｒｋ  ｖｉｏｌｅｔ’。
【０２４３】
[312]  ６．追加の開発プロセスは、以下のプロセスを含んでいた：
[313]  ６．１  台木として用いられるべき追加のカリブラコア属の繁殖材料に関するスクリーニング。
【０２４４】
[314]  ６．２  以下のパラメーターを達成するための、台木及び接ぎ穂の間の適合性の向上：
[315]  Ａ．顕著なカルスを伴わない台木及び接ぎ穂の間の均一な接着点−類似のシュート直径。
【０２４５】
[316]  Ｂ．短時間の接着、すなわち、接木から接着まで約５〜１０日。
[317]  Ｃ．茎からのサイドシュート又はカルスからの新芽の継続的な形成の抑制。
[318]  Ｄ．植物の生長の間の太く木質の茎の形成。
【０２４６】
[319]  ここで、ペチュニア・サフィニアｐｉｎｋ上に接木されたカリブラコア属の種Ｃｈａｍｅｌｅｏｎ  ｐｉｎｋの接木点の崩壊の写真での図説を示す図６を参照する。複製物８０、９０、及び１００において、弱い接着並びに異なる台木及び接ぎ穂の発達は、台木及び接ぎ穂の間の等しくない直径及び物理的感受性につながることが、示されている。
【０２４７】
[320]  ６．３  生長した台木又は接ぎ穂を支持し、形を整えるためのトレーリング及び安定化手段の開発。
実施例２
カリブラコア属の接ぎ穂を選択された台木上に接木するための例示されたプロトコル
[321]  本発明に従うカリブラコア属の接木された植物を生成するための方法の１つの例は、以下の工程を包含し得る：
[322]  工程１：カリブラコア属の植物との接木のための適合可能な台木として用いられるために適している植物、好ましくはナス科の植物を選択する。
【０２４８】
[323]  工程２：選択された台木を、予め決定された農業技術的条件、例えば照明、遮光、温度、灌漑及び施肥計画の下で約３０〜約６０日間（季節に依存する）の期間の間生長させて、カリブラコア属の接ぎ穂を接木されるために接木に必要な予め決定された茎のパラメーター（例えば茎の高さ、直径、節の間の長さ等）を有する台木を達成する。特定の態様では、最初の蕾まで０．５ｍまでの茎の高さが用いられる。
【０２４９】
[324]  台木を生成するために用いられる繁殖材料は、種子、実生又は切穂から選択できることは、特筆されるべきである。より詳細には、台木は、苗、根付いた切穂、根付いていない切穂、実生、接木された根付いた切穂、接木された根付いていない切穂又は接木された根付いていない実生から生成されることができる。種子の場合、プロトコルは、実生を生長させ、実生に由来する切穂を使用することに基づき、それは、必要な寸法まで台木を伸長するために調節された特定の予め決定された生長条件下に置かれる。切穂と比較した種子に関する生長プロトコルは、それぞれの段階に関して異なるリードタイムに基づく。
【０２５０】
[325]  特定の態様では、台木植物の切穂は、カリブラコア属の接ぎ穂を用いた接木に適した予め決定された高さを有するまっすぐに、又は直立して頑強な草本の茎を生成するために最適な生長条件下で植栽トレー中で根付く。
【０２５１】
[326]  特に、選択された台木は、カリブラコア属の接ぎ穂を用いた接木に適するために予め設計された条件において生長する。選択された台木を生長させるための工程は、以下の工程を包含し得る：
[327]  Ａ．生長した台木植物の密度（すなわち面積あたりの植物の数）を調節する；
[328]  Ｂ．適切な生長トレイを選択する。そのような適切なトレイを選択するためのパラメーターは、限定的でない様式において、大きさ、セルの形状、セルの材料及び密度を含み得る；
[329]  Ｃ．制御された「低照射」計画を適用して、必要な寸法まで伸長した台木を生成する（すなわち白化した植物を得るため）；
[330]  Ｄ．開花時間を制御する（すなわち植物の光周期応答に影響を及ぼすことによる）；
[331]  Ｅ．生長した台木植物を支持するためにトレーリング及び安定化手段を用いる。そのような手段の限定的でない例は、生長した台木を支持するための棒及びクリップ並びに他の手段及び方法、例えば切り花、トレーリングネットの使用及び／又はプラスチックトレーフレームの使用を含む。
【０２５２】
[332]  Ｆ．選択された台木を、予め決定されたプロトコルで、すなわち照明レベル、温度、相対湿度、電気伝導度、ｐＨ、灌漑間隔並びに施肥溶液及び計画のような制御パラメーターにより生長させる；
[333]  Ｇ．場合により、植物保護処理（例えば農薬ベースのアプローチ、例えば除草剤、殺虫剤及び殺真菌剤並びに生物学的害虫制御アプローチ、並びにそれらの組合せ）を適用する；
[334]  Ｉ．以下のような特性を含む、台木の生産のために用いられるべき植物繁殖材料の特性を調和させ、制御し、操作する：根系の発達、すなわち発達に関する速度及び条件、大きさ、機能性及び根付きの生産量、胚軸の大きさ、すなわち長さ；茎の直径並びに節の数及び長さ。
【０２５３】
[335]  工程３：選択された台木上への接木に適した接ぎ穂として用いられるべきカリブラコア属の種を生長させる。カリブラコア属の接ぎ穂は、根付いた切穂、根付いていない切穂、実生、接木された根付いた切穂、接木された根付いていない切穂又は接木された根付いていない実生を含む苗又は繁殖材料又は原材料に由来することができる。特定の態様では、接ぎ穂の切穂は、接ぎ穂の茎の直径が台木の直径及び接木技法に適しているように調節するために適合した条件下で生長する。接ぎ穂の生長は、接ぎ穂が、生長進度及びタイミング並びに茎の直径のような生長特徴により選択された台木との接木に適しているように操作される。
【０２５４】
[336]  工程４：カリブラコア属の接ぎ穂を、操作された台木上に予め決定された高さにおいて、適切な接木技法又は方法により接木する。場合により、接木された苗を支持するためにトレーリング及び安定化手段を用いる。そのようなトレーリング及び安定化手段の限定的でない例は、棒、クリップ、切り花、トレーリングネット、プラスチックトレーフレーム及びそれらの組合せを含む。
【０２５５】
[337]  工程５：接木領域における台木及び接ぎ穂組織の間の接着を増進し、強固にするプロセス。
[338]  工程６：接木されたカリブラコア属の植物を、完成した、又は所望のポット又は栽培容器又はプランター中に植え、場合により必要であれば接木された植物の生長を支持するための手段を用いて、所望の商業的に価値のある新規の接木されたカリブラコア属の植物を提供する。
【０２５６】
[339]  さらに、本発明の接木プロトコルを用いて、苗（例えば接木された根付いた切穂及び接木された実生）又は他の原材料、例えば根付いていない接木された切穂の形態の接木された繁殖材料を生成することは、範囲内である。
【０２５７】
[340]  さらに、本発明の接木プロトコルにより、苗の形態の高い茎の接木されたカリブラコア属及び高い茎の接木された繁殖材料（例えば高い茎の接木された根付いた切穂及び高い茎の接木された実生）又は他の原材料、例えば高い茎の根付いていない接木された切穂を生成することは、範囲内である。
【０２５８】
[341]  さらに、接木法が、従来の、又は既知の接木技法であることができることは、範囲内である。用いられる全ての方法において、接ぎ穂及び台木の相補末端が、一緒に合わせられて（brought together）接木融合を形成する。カルス組織は、植物の正常な治癒プロセスの一部として接木融合を形成し、接ぎ穂及び台木の間の水及び栄養素のための導管の役目を果たす。接木は、２つの独立した植物部分の１つの植物への融合を含む。より具体的には、それは、草本植物、例えばトマト植物を接木するために適している接木技法を包含することができる。より詳細には、接木法は、クリップを用いた斜め切りを用いる。
【０２５９】
[342]  本明細書で記載された実施例が、カリブラコア属の接ぎ穂を前記のカリブラコア属の接ぎ穂と適合性であることが分かっている選択された台木と接木するための手段及び方法を包含することは、強調される。特に、例は、カリブラコア属の接ぎ穂をナス科の台木と接木するための手段及び方法を指す。より詳細には、カリブラコア属の接ぎ穂との接木のために用いられる台木は、ナス属、トウガラシ属、ペチュニア属又はカリブラコア属の種であることができる。
【０２６０】
[343]  本明細書で記載された例示された方法は、２つ以上の接ぎ穂を１つの台木上に接木する可能性を包含する。この態様では、２つ以上の接ぎ穂は、同じ属内の異なる種又は同じ種内の異なる品種に属する。異なる接ぎ穂は、異なる特徴、例えば花序の色、果実の形状及び生長パターンを有することができる。これは、観賞的及び園芸的な商業的に望ましい組合せを有する独特の驚くべき接木された植物及び接木された繁殖材料の生成を可能にする。
【０２６１】
実施例３
カリブラコア属の接ぎ穂のペチュニア属の台木上への接木
[344]  この実施例は、ペチュニア属の台木上に接木された、本発明の方法により生成されたカリブラコア属の植物を示すいくつかの態様を記載する。
【０２６２】
[345]  ここで、様々な花序の色の増進された高さの接木されたカリブラコア属の植物の写真での図説を示す図７及び８を参照する。この態様では、カリブラコア属の接ぎ穂は、ペチュニア属の台木上への接木に関して適合性であるべき予め決定された生長特徴において生長する。さらなる態様によれば、ペチュニア属の植物は、約２０ｃｍの茎の高さを有する台木として適しているように生長し、その上にカリブラコア属の接ぎ穂が接木される。特定の態様では、ペチュニア属の台木及びカリブラコア属の接ぎ穂は、接ぎ穂及び台木の間で適合性である茎の直径を生成するように設計された生長条件下で生長する。
【０２６３】
[346]  図７は、約２０ｃｍの高さのペチュニア属の台木上に接木された異なるカリブラコア属の品種を含む３つの高い茎の接木されたカリブラコア属の植物の写真での図説を示す。それぞれのカリブラコア属の品種は、異なる花序の色を有する。用いられた接ぎ穂は、左から右にカリブラコア属の種Ｃｅｌｅｂｒａｔｉｏｎ（登録商標）のＮｅｏｎ  ｒｏｓｅ、Ｗｈｉｔｅ  ｉｍｐｒｏｖｅｄ及びＹｅｌｌｏｗ  ｂａｎａｎａである。
【０２６４】
[347]  図８は、完成し、形を整えられた、増進された高さの、温室条件下で少なくとも２ヵ月間生長した接木されたカリブラコア属の植物の写真での図説を示す。
[348]  本明細書において、カリブラコア属の接ぎ穂の台木上への接木は、当該技術で既知の従来の接木技法により、より具体的には草本植物を接木するのに適した接木技法によりなされることができることが、強調される。本発明において用いられる接木法の限定的でない例は、合わせ接ぎ、芽接ぎ、割り接ぎ、腹接ぎ、寄接ぎ、穴差込接ぎ、一子葉接ぎ、舌接ぎ、切り株接ぎ、４フラップ接ぎ、突き錐接ぎ、切接ぎ及び草本植物を接木するのに適した他の接木技法並びにそれらの組合せを含み得る。
【０２６５】
[349]  ここで、短い台木を接木されたカリブラコア属の植物の写真での図説を示す図９を参照する。この態様では、カリブラコア属の接ぎ穂は、約１０ｃｍの高さにおいてペチュニア属の台木上に接木される。
【０２６６】
[350]  ここで、カリブラコア属の接ぎ穂を接木されるべき台木として生長した栽培されたペチュニア属の植物の写真での図説を示す図１０を参照する。本明細書において、ペチュニア属及びカリブラコア属は両方ともナス科に属し、両方の属の種が特性付けられたことが認められている。ペチュニア属の種のほとんどは、草本かつ一年生である。ほとんどのカリブラコア属の種は、主にサブアルバスティブかつ多年生である。この態様では、ペチュニア属の植物は、カリブラコア属の接ぎ穂と少なくとも１６ｃｍの高さで接木されるべき台木として生長する。この図を見れば分かるように、（約２０ｃｍの）特別な棒４０及び台木を棒に取り付けるクリップ５０が、台木の生長を支持するために用いられてきた。さらに、方法及び手段、例えば切り花、トレーリングネット及びプラスチックトレーフレームが、生長した台木を支持するために用いられることができる。
【０２６７】
[351]  ここで、増進された高さのカリブラコア属の接木された植物の写真での図説を示す図１１を参照する。この態様では、カリブラコア属の接ぎ穂は、ペチュニア属の台木上に約２０ｃｍの高さで接木される。本明細書において、カリブラコア属の植物種は、天然にサブアルバスティブ又は低木状の生長パターン及び弱い根系を有し、それは、熱、塩及びｐＨの影響も受けやすい可能性があることが、認められている。本発明のこの態様は、強い茎及び根系を有する高められた又は増進された高さのカリブラコア属の植物の達成を可能にする本発明の１つの利点を実証する。図１１において示されている高められた高さのカリブラコア属の植物は、クリップ１０により、そしてロッド２０により支持及び安定化されている。
【０２６８】
[352]  ここで、剪定の前（Ａ）後（Ｂ）の増進された高さの接木されたカリブラコア属の植物の写真での図説を示す図１２を参照する。この態様では、カリブラコア属の接ぎ穂が、ペチュニア属の台木上に接木された。
【０２６９】
[353]  ここで、剪定後の成熟した接木されたカリブラコア属の植物の写真での図説を示す図１３を参照する。カリブラコア属の接ぎ穂は、約１６ｃｍ以上の高さでペチュニア属の台木上に接木されている。特定の側面によれば、剪定は、接ぎ穂の茎、葉及び花の生長の再生を促進する。
【０２７０】
[354]  ここで、ポットへの植え替えの２〜３週間後の増進された高さのカリブラコア属の接木された植物の写真での図説を示す図１４を参照する。この態様は、接木された植物（それがポットに植え替えられた２〜３週間後であり、その最終的な体裁を整えるための植物の剪定前）を示す。
【０２７１】
実施例４
カリブラコア属の接ぎ穂のナス属の台木上への接木
[355]  この実施例は、ナス属の、特にＳ．メロンゲナ種の台木上に接木されたカリブラコア属の植物であって、本発明の方法により生成された植物を示すいくつかの態様を記載する。
【０２７２】
[356]  ここで、本発明の１つの態様として、Ｓ．メロンゲナ種の台木上に接木されたカリブラコア属の接ぎ穂の写真での図説を示す図１５を参照する。この図において、ナス（eggplant）、オウバージーン（aubergine）、メロンジン（melongene）、ガーデンエッグ（garden egg）、ギニースカッシュ（guinea squash）又はアスブリンジャル（asbrinjal）としても知られているＳ．メロンゲナの台木上に接木されたカリブラコア属の接ぎ穂を含む接木されたカリブラコア属の植物が、選択された台木及び接ぎ穂の間の適合性並びに本発明の接木プロトコルに従って設計された台木の適正な生長及び発達により、うまく生成されていることが、示されている。
【符号の説明】
【０２７３】
４０  特別な棒
５０  クリップ
６０  細い台木
７０  太い台木
８０  複製物
９０  複製物
１００  複製物
【図１Ａ】
2017527315.tif 000007
【図１Ｂ】
2017527315.tif 000008
【図２】
2017527315.tif 000009
【図３】
2017527315.tif 000010
【図４】
2017527315.tif 000011
【図５】
2017527315.tif 000012
【図６】
2017527315.tif 000013
【図７】
2017527315.tif 000014
【図８】
2017527315.tif 000015
【図９】
2017527315.tif 000016
【図１０】
2017527315.tif 000017
【図１１】
2017527315.tif 000018
【図１２Ａ−１２Ｂ】
2017527315.tif 000019
【図１３】
2017527315.tif 000020
【図１４】
2017527315.tif 000021
【図１５】
2017527315.tif 000022
【国際調査報告】
2017527315.tif 000023
2017527315.tif 000024